(57)【要約】【解決手段】  パターニングスタックを調整する方法であって、基板上のパターニングスタックに転写されたパターンに関する物理的特性を表すパラメータが、パターニングスタック変数の変化によってどのように影響されるかを測定する関数を定義し、パターニングスタック変数は、パターニングスタックの材料層の物理的特性を表し、ハードウェアコンピュータシステムによって、終了条件が満たされるまで、パターニングスタック変数を変更し、ハードウェアコンピュータシステムによって、変更されたパターニングスタック変数に関する関数を評価し、終了条件が満たされると、パターニングスタック変数の値を出力する。【選択図】図１
2019533202.tif 000002
【特許請求の範囲】
【請求項１】
基板上のパターニングスタックに転写されたパターンに関する物理的特性を表すパラメータが、パターニングスタック変数の変化によってどのように影響されるかを測定する関数を定義し、パターニングスタック変数は、パターニングスタックの材料層の物理的特性を表し、
ハードウェアコンピュータシステムによって、終了条件が満たされるまで、パターニングスタック変数を変更し、ハードウェアコンピュータシステムによって、変更されたパターニングスタック変数に関する関数を評価し、
終了条件が満たされると、パターニングスタック変数の値を出力することを含む、パターニングスタックを調整する方法。
【請求項２】
前記パターニングスタック変数が、前記パターニングスタックの層の屈折率、前記パターニングスタックの層の吸光係数、および／または前記パターニングスタックの層の厚さから選択される１つまたは複数である、請求項１に記載の方法。
【請求項３】
前記パラメータが、計測プロセスの物理的特性、リソグラフィプロセスの物理的特性、および／またはエッチングプロセスの物理的特性から選択される１つまたは複数を表す、請求項１に記載の方法。
【請求項４】
前記パラメータは、アライメントパラメータ、レベリングパラメータ、計測パラメータ、定在波パラメータ、コントラスト変動パラメータ、側壁角度パラメータ、フロントエンドクリティカルディメンジョンパラメータ、フーティングパラメータ、レジスト損失パラメータ、アシンメトリパラメータ、バックエンドクリティカルディメンジョンパラメータ、パターン配置パラメータ、トップラウンディングパラメータ、および／またはリソグラフィエッチバイアスパラメータから選択される１つまたは複数である、請求項１に記載の方法。
【請求項５】
前記関数は、前記基板上の前記パターニングスタックに転写された前記パターンに関する物理的特性をそれぞれ表す複数のパラメータが、前記パターニングスタック変数の変化によってどのように影響を受けるかを測定する、請求項１に記載の方法。
【請求項６】
前記複数のパラメータが計測プロセスの物理的特性を含む、請求項５に記載の方法。
【請求項７】
前記可変パターニングスタック変数に関する前記関数を評価することは、前記可変パターニングスタック変数に基づいて前記パラメータの値を決定するためにコンピュータシミュレーションを実行することを含む、請求項１に記載の方法。
【請求項８】
前記パラメータがエッチングプロセスの物理的特性を含み、前記コンピュータシミュレーションがエッチングモデルを使用する、請求項７に記載の方法。
【請求項９】
前記パラメータが計測プロセスの物理的特性を含み、前記コンピュータシミュレーションが計測モデルを使用する、請求項７に記載の方法。
【請求項１０】
前記パラメータがリソグラフィプロセスの物理的特性を含み、前記コンピュータシミュレーションがレジストモデルを使用する、請求項７に記載の方法。
【請求項１１】
前記可変パターニングスタック変数に関して前記関数を評価することが、測定またはシミュレーションによって得られたパターンプロファイルに基づいて前記パラメータの値を決定することを含む、請求項１に記載の方法。
【請求項１２】
前記パターンプロファイルは、レジスト画像またはエッチング画像のいずれかである、請求項１１に記載の方法。
【請求項１３】
前記変化するパターニングスタック変数に関して前記関数を評価することは、測定又はシミュレーションによって測定プロセスの物理的特性を表すパラメータの値を決定することを含む、請求項１に記載の方法。
【請求項１４】
前記関数は目的関数であり、前記関数を評価することは、局所極値で、または局所極値の周囲のプリセット範囲内で前記パラメータの値を有するように前記パターニングスタック変数の値を取得することを含む、請求項１に記載の方法。
【請求項１５】
請求項１に記載の方法を実行するためのプロセッサで構成された機械可読命令を含む、非一過性コンピュータプログラム製品。
【発明の詳細な説明】
【技術分野】
【０００１】
本出願は、２０１６年８月３０日に出願され、その全体が参照により本明細書に組み入れられる、欧州特許出願１６１８６３０５．５の優先権を主張する。
【０００２】
本開示は、デバイス製造装置、及びプロセスに関し、より詳細には、デバイス製造装置又はプロセス、例えば計測装置もしくはプロセス、リソグラフィ投影装置、もしくはリソグラフィ投影装置、及び／又はエッチング装置もしくはプロセスで使用するためのパターニングスタックを最適化する方法又は装置に関する。
【背景技術】
【０００３】
リソグラフィ投影装置は、例えば、集積回路（ＩＣ）などのデバイスの製造に使用することができる。このような場合、パターニングデバイス（例えばマスク）は、デバイスの個々の層に対応するデバイス（例えば回路）パターンを含むか提供することができ（「設計レイアウト」）、このパターンをパターニングデバイスのパターンを介してターゲット部分を照射する方法によって、放射感応性材料（「レジスト」）の層が被覆された基板（例えばシリコンウェーハ）の（例えば１つ又はそれ以上のダイを含む）ターゲット部分に転写することができる。一般に、単一の基板は、リソグラフィ投影装置によって一度に１つのターゲット部分ずつパターンが連続的に転写される複数の隣接するターゲット部分を含む。ある種のリソグラフィ投影装置では、パターニングデバイス全体のパターンが一度に１つのターゲット部分に転写され、そのような装置は一般にステッパと呼ばれる。ステップ・アンド・スキャン装置と一般に呼ばれる他の装置では、投影ビームを所与の基準方向（「走査」方向）にパターニングデバイス上を走査させながら、基板を基準に対して平行又は反平行に同期移動させる。パターニングデバイス上のパターンの異なる部分は、徐々に１つのターゲット部分に転写される。一般に、リソグラフィ投影装置は拡大係数Ｍ（一般に＜１）を有するので、基板が移動される速度Ｆは投影ビームがパターニングデバイスを走査する速度のＭ倍になる。
【０００４】
パターン形成装置から基板にパターンを転写する前に、基板は、プライミング、レジストコーティング、及びソフトベークなどの様々な手順を経てもよい。露光後、基板を露光後ベーク（ＰＥＢ）、現像、ハードベーク、及び転写パターンの測定／検査などの他の手順にかけてもよい。この一連の手順は、例えばＩＣのようなデバイスの個々の層を作るための基礎として使用される。次いで、基板は、エッチング、イオン注入（ドーピング）、メタライゼーション、酸化、化学機械研磨など、すべてデバイスの個々の層を仕上げることを目的とした様々なプロセスを経てもよい。デバイスにいくつかの層が必要な場合は、各層について全手順又はその変形を繰り返す。最終的に、デバイスは基板上の各ターゲット部分に存在することになる。次いで、これらのデバイスは、ダイシング又はソーイングのような技術によって互いに分離され、それによって個々のデバイスはキャリアに取り付けられ、ピンに接続される等してもよい。
【０００５】
上述したように、リソグラフィはデバイス製造における重要なステップであり、そこでは基板上に形成されたパターンはマイクロプロセッサ、メモリチップなどのようなデバイスの機能要素を画定する。同様のリソグラフィ技術は、フラットパネルディスプレイ、微小電気機械システム（ＭＥＭＳ）及び他のデバイスの形成にも使用されている。
【０００６】
デバイス製造プロセスが進歩し続けるにつれて、デバイス当たりのトランジスタなどの機能要素の量が数十年にわたって着実に増加している間、機能要素の寸法は絶えず縮小されてきた。例えば、デバイスの層は、深紫外線照射源からの光を使用して基板上に設計レイアウトを投影するリソグラフィ装置を使用して製造され、１００ｎｍを十分に下回る寸法、すなわち放射源（例えば１９３ｎｍ照射源）からの放射の波長の半分未満を有する個々の機能要素を作り出す。
【０００７】
リソグラフィ投影装置の古典的な解像度限界よりも小さい寸法を有するフィーチャが印刷されるこのプロセスは、解像度式ＣＤ＝ｋ１×λ／ＮＡにより低ｋ１リソグラフィとして一般的に知られており、λは使用される放射の波長（例えば、１９３ｎｍ又は＜１９）であり、ＮＡはリソグラフィ投影装置内の投影光学系の開口数、ＣＤは「クリティカルディメンジョン」、一般に印刷される最小特徴サイズ、及びｋ１は経験的解像度係数である。一般に、ｋ１が小さいほど、特定の機能性及び／又は性能を達成するためにデバイス設計者によって計画された形状及び寸法に似たパターンを基板上に再現することがより困難になる。これらの困難を克服するために、高度な微調整ステップがリソグラフィ投影装置及び／又は設計レイアウトに適用される。これらには、例えば、ＮＡ及び光コヒーレンス設定の最適化、カスタマイズされた照射方式、位相シフトパターニングデバイスの使用、設計レイアウトにおける光近接効果補正（ＯＰＣ）、又は一般に「解像度向上技術（ＲＥＴ）」として定義される他の方法が含まれる。
【発明の概要】
【０００８】
したがって、半導体デバイスなどのデバイスを製造することは、通常、様々な機構及びデバイスの複数の層を形成するためにいくつかの製造プロセスを使用して基板（たとえば、半導体ウェハ）を処理することを含む。そのような層及び機構は、典型的には、例えば堆積、リソグラフィ、エッチング、化学機械研磨、及びイオン注入を使用して製造及び処理される。複数の装置を基板上の複数のダイ上に製造し、次いで個々の装置に分離することができる。このデバイス製造プロセスは、パターニングプロセスと見なすことができる。パターン形成プロセスは、パターン形成装置上のパターン形成装置を使用してパターン形成装置上のパターンを基板に転写するための光及び／又はナノインプリントリソグラフィなどのパターン形成ステップを含み、通常、任意で１つ又は複数の関連パターン処理ステップを含む。例えば、現像装置によるレジスト現像、ベークツールを用いた基板のベーク、エッチング装置を用いたパターンを用いたエッチングなどが挙げられる。
【０００９】
さらに、パターニングプロセスの一部として、基板の上に複数の層を積層することができる。複数の層をまとめてパターニングスタックと呼ぶことがある。パターニングスタックの各層は、例えば、ハードマスク層、反射防止コーティング（ＡＲＣ）層、レジスト層、トップコート層、及び機能素子層から選択することができる。パターニングプロセスでは、基板のパラメータを測定するために、１つ又は複数の計測システム（例えば、レベルセンサ、及び／又はアライメント測定システム、及び／又はＣＤ、オーバーレイ、フォーカス又はドーズ測定システム）を使用することができ、リソグラフィ装置を使用してレジスト層上にパターンを形成することができ、エッチング装置を使用してレジスト層上のパターンを層（例えばハードマスク層）に転写することができる。
【００１０】
パターニングスタックの１つ以上の光学特性は、１つ以上の計測システムの測定精度及びパターニングプロセス（例えば、リソグラフィ装置及び／又はエッチング装置）のパターニング性能に影響を及ぼし得る。パターニングスタックの１つ以上の光学特性は、例えば、パターニングスタックの層の材料及び厚さによって決定される。
【００１１】
パターニングスタックは複雑であるため、パターニングスタックを画定する（例えば、材料の選択及びパターニングスタックの各層の厚さの決定）には、多大な時間と労力が必要となる可能性がある。結果として、製造プロセスにおいて、例えば７ｎｍ技術ノードにおいて、デバイスを製造するためのパターニングスタックを画定するのに１年かかるかもしれない。パターニングスタックを画定する既存のプロセスは、多くの実験を含み得る。したがって、既存のプロセスは高価で時間がかかる可能性がある。さらに、大量の製造仕様、要件、及び可能性のある変動のために、既存のプロセスを使用して適切なパターニングスタックを得ることは困難であり得る。したがって、例えば、パターニングプロセスにおける最適性能のためにパターニングスタックの各層の材料及び／又は厚さを最適化する方法及び装置を提供することが望ましい。そのような最適化プロセスは、パターニングスタック最適化と呼ばれる。したがって、例えば、パターン形成スタック最適化のための効率的で費用対効果の高い方法及び／又は装置が必要とされている。
【００１２】
有利には、本明細書に記載される、パターニングスタックを最適化するための方法及び／又は装置は、満足のいくパターニングスタックを達成するための総時間を大幅に短縮することができる。追加的に又は代替的に、本明細書に記載の方法及び／又は装置は、かなりの量の実験作業を削減又は排除することができ、それによって製造コストが削減される。追加的又は代替的に、既存のプロセスは、パターニングプロセス統合の最終段階の前の計測プロセス及び／又はエッチングプロセスを考慮しないが、本明細書に記載の方法及び／又は装置は、リソグラフィプロセスと共に計測プロセス及び／又はエッチングプロセスを同時に考慮してもよい。追加的又は代替的に、本明細書に記載の方法及び／又は装置は、パターニングプロセス（計測プロセス、リソグラフィプロセス、及び／又はエッチングプロセス）におけるロバスト性能（たとえばプロセス変動に応答して有効性能を有する）に関してパターニングスタックの各層の材料及び／又は厚さを効果的に最適化できる。
【００１３】
一実施形態では、パターニングスタックの調整方法が提供され、方法は、基板上のパターニングスタックに転写されたパターンに関する物理的特性を表すパラメータがパターニングスタック変数の変化によってどのように影響を受けるかを測定する関数を定義することを含み、パターニングスタック変数は、パターニングスタックの材料層の物理的特性を表し、ハードウェアコンピュータシステムによって、パターニングスタック変数を変更し、終了条件が満たされるまで、ハードウェアコンピュータシステムによって、変更されたパターニングスタック変数に関する関数を評価し、終了条件が満たされると、パターニングスタック変数の値を出力する。
【００１４】
一実施形態では、終了条件が満たされるまで、ハードウェアコンピュータシステムによってパターニングスタック変数を最適化することを含み、パターニングスタック変数は、それぞれが基板上のパターニングスタックに転写されたパターンに関する、基板上のパターニングスタックの材料層の物理的特性を表し、終了条件が満たされると、パターニングスタック変数の値を出力する。
【００１５】
一実施形態では、プロセッサに本明細書に記載の方法を実行させるように構成された機械可読命令を含む非一過性コンピュータプログラム製品が提供される。
【００１６】
添付の図面は、本明細書に組み込まれ、その一部をなすものである。本明細書は、発明の実施形態を例示し、その説明と共に、発明の実施形態の原理を説明し、当業者が実施形態を製作及び使用することを可能にするのに役立つ。
【図面の簡単な説明】
【００１７】
【図１】リソグラフィ投影装置の一実施形態を概略的に示す図である。
【図２】例示的なレベルセンサの概略図を示す。
【図３】リソグラフィセル又はクラスタの一実施形態を概略的に示す図である。
【図４】シミュレーションモデルの一実施形態のブロック図である。
【図５】同時最適化／共最適化の例示的な方法論の態様を示すフロー図である。
【図６】さらなる最適化方法の一実施形態を示す図である。
【図７】パターニングスタックの一例を示す図である。
【図８】一実施形態による、パターニングスタック最適化プロセスの例示的なフローチャートである。
【図９】レジスト画像に基づいて定在波パラメータを決定する例示的な方法を示す図である。
【図１０】レジスト画像に基づいてコントラスト変動パラメータを決定する例示的な方法を示す図である。
【図１１】空画像に基づいて側壁角度パラメータを決定する例示的な方法を示す図である。
【図１２】コンピュータシステムの一例を示すブロック図である。
【図１３】例示的なリソグラフィ投影装置の概略図である。
【図１４】図１３の装置のより詳細な図である。
【図１５】図１３及び図１４の装置の放射源コレクタモジュールのより詳細な図である。
【００１８】
添付の図面を参照して、１つ又は複数の実施形態を説明する。図面において、類似の参照番号は、同一又は機能的に類似の要素を示すことがある。
【発明を実施するための形態】
【００１９】
実施形態を詳細に説明する前に、実施形態が実施され得る例示的な環境を提示することは有益である。
【００２０】
図１は、リソグラフィ投影装置ＬＡを概略的に示す。装置は：放射ビームＢ（例えばＤＵＶ放射又はＥＵＶ放射）を調整するように構成された照射システム（イルミネータ）ＩＬ；
パターニングデバイス（例えばマスク）ＭＡを支持するように構成され、特定のパラメータに従ってパターニングデバイスを正確に位置決めするように構成された第１ポジショナＰＭに接続された支持構造（例えばマスクテーブル）ＭＴ；基板（例えばレジスト被覆ウェーハ）Ｗを保持するように構成され且つ特定のパラメータに従って基板を正確に位置決めするように構成された第２ポジショナＰＷに接続された基板テーブル（例えばウエハテーブル）ＷＴａ；パターニングデバイスＭＡによって放射ビームＢに付与されたパターンを基板Ｗのターゲット部分Ｃ（例えば、１つ又はそれ以上のダイを含む）に投影するように構成された投影システム（例えば屈折型又は反射型投影システム）ＰＳを含む。
【００２１】
照射システムは、放射を方向付け、整形、又は制御するための、屈折、反射、磁気、電磁気、静電気又は他の種類の光学部品、又はそれらの任意の組み合わせなどの様々な種類の光学部品を含むことができる。
【００２２】
本明細書で用いる「投影光学系」又は「投影システム」の用語は、用いられる露光放射や、液浸液の使用または真空の使用といった他の要素について適切であれば、屈折型、反射型、屈折反射型、磁気型、電磁気型および静電型の光学システムまたはこれらの任意の組み合わせを含む、任意の形式の投影システムを包含するもの広く解釈されるべきである。「投影光学系」又は「投影システム」という用語はまた、投影ビームの放射を方向付け、整形又は制御するために、集合的に又は単独で、これらの設計タイプのいずれかに従って動作する構成要素も含み得る。「投影光学系」又は「投影システム」という用語は、光学部品がリソグラフィ投影装置の光路上のどこに配置されていても、リソグラフィ投影装置内の任意の光学部品を含むことができる。投影光学系又はシステムは、放射がパターニングデバイスを通過する前に放射を成形、調整及び／又は放射するための光学部品、及び／又は放射がパターニングデバイスを通過した後に放射を成形、調整及び／又は投射するための光学部品を含み得る。本書での「投影レンズ」の用語の任意の使用は、より一般的な用語である「投影システム」と同義とみなしてもよい。
【００２３】
パターニングデバイス支持構造は、パターニングデバイスの向き、リソグラフィ投影装置の設計、及び例えばパターニングデバイスが真空環境に保持されているかどうかなどの他の条件に応じた方法でパターニングデバイスを保持する。パターニングデバイス支持構造は、パターニングデバイスを保持するために機械的、真空、静電又は他のクランプ技術を使用することができる。パターニングデバイス支持構造は、例えば、必要に応じて固定式又は可動式とすることができるフレーム又はテーブルとすることができる。パターニングデバイス支持構造は、パターニングデバイスが、例えば投影システムに対して確実に所望の位置にくるようにすることができる。本明細書における「レチクル」又は「マスク」という用語の使用はすべて、より一般的な「パターニングデバイス」という用語の同義語と見なすことができる。
【００２４】
本明細書で使用される「パターニングデバイス」という用語は、基板のターゲット部分にパターンを作成するなど、断面にパターンを有する放射ビームを付与するのに使用できる任意のデバイスを指すものとして広く解釈されるべきである。例えばパターンが位相シフトフィーチャ又はいわゆるアシストフィーチャを含む場合、放射ビームに付与されたパターンは基板のターゲット部分内の所望のパターンに正確に対応しないことがあることに留意すべきである。一般に、放射ビームに付与されたパターンは、集積回路などのターゲット部分内に作り出されるデバイス内の特定の機能層に対応することになる。
【００２５】
パターニングデバイスは透過型又は反射型であってもよい。パターニングデバイスの例には、マスク、プログラマブルミラーアレイ、及びプログラマブルＬＣＤパネルが含まれる。マスクはリソグラフィにおいてよく知られており、バイナリ、レベンソン型位相シフト、及び減衰型位相シフトなどのマスクタイプ、ならびに様々なハイブリッドマスクタイプを含む。プログラマブルミラーアレイの一例は、入ってくる放射ビームを異なる方向に反射するようにそれぞれが個々に傾けられることができる小さなミラーのマトリックス配置を使用する。傾けられたミラーは、ミラーマトリックスによって反射される放射ビームにパターンを付与する。
【００２６】
上記で言及したパターニングデバイスは、１つ又は複数の設計レイアウトを含むか、又は形成することができる。設計レイアウトは、ＣＡＤ（コンピュータ支援設計）プログラムを利用して生成することができ、このプロセスはしばしばＥＤＡ（電子設計自動化）と呼ばれる。大部分のＣＡＤプログラムは、機能設計レイアウト／パターニングデバイスを作成するために１組の所定の設計規則に従う。これらの規則は、処理上及び設計上の制限によって設定される。例えば、設計規則は、回路デバイス又はラインが互いに望ましくない方法で相互作用しないようにするために、回路デバイス（ゲート、キャパシタなど）又は相互接続ライン間のスペース許容値を定義する。１つ以上のデザインルールの制限事項はＣＤであってもよい。回路のＣＤは、線又は穴の最小幅、あるいは２つの線又は２つの穴の間の最小スペースとして定義してもよい。従って、ＣＤは設計された回路の全体の大きさと密度を決定する。もちろん、集積回路製造における目標の１つは、元の回路設計を基板上に（パターン形成装置を介して）忠実に再現することである。
【００２７】
本明細書で使用される「マスク」又は「パターニングデバイス」という用語は、入射する放射ビームに、基板のターゲット部分に形成されるべきパターンに対応するパターン化断面を与えるために使用できる一般的なパターニングデバイスを指すものとして広く解釈され、この文脈では用語「ライトバルブ」も使用できる。古典的なマスク（透過型又は反射型、バイナリ、位相シフト、ハイブリッドなど）に加えて、パターニングデバイスの例には、プログラマブルミラーアレイが含まれる。そのような装置の例は、粘弾性制御層及び反射面を有するマトリックスアドレス指定可能面である。このような装置の背後にある基本原理は、（例えば）反射面のアドレス指定された領域が入射放射を回折放射として反射する一方、アドレス指定されていない領域は入射放射を非回折放射として反射することである。適切なフィルタを使用して、前記非回折放射を反射ビームから除去し、回折放射のみを残すことができ、この方法により、ビームはマトリックスアドレス指定可能面のアドレスパターンに従ってパターン化される。必要とされるマトリクスアドレッシングは、プログラマブルＬＣＤアレイのような適切な電子手段を用いて実行することができる。
【００２８】
本明細書に示されているように、装置は透過型のもの（例えば透過型マスクを採用しているもの）である。あるいは、装置は反射型のもの（例えば、上で言及したような種類のプログラマブルミラーアレイを使用する、又は反射型マスクを使用するもの）であってもよい。
【００２９】
リソグラフィ投影装置は、２つ（デュアルステージ）以上のテーブル（例えば、２つ以上の基板テーブル、２つ以上のパターニングデバイス支持構造、基板テーブル及び計測テーブルなど）を有するタイプのものとしてもよい。このような「マルチステージ」機械では、複数の複数のテーブルを並行して使用することができ、あるいは１つ又は複数の他のテーブルをパターン転写に使用しながら準備ステップを１つ又は複数のテーブルで実行することができる。
【００３０】
リソグラフィ投影装置はまた、投影システムと基板との間の空間を満たすように、基板の少なくとも一部を比較的高い屈折率を有する液体、例えば水で覆うことができるタイプのものでもよい。液浸液は、リソグラフィ投影装置内の他の空間、例えばマスクと投影システムとの間にも適用することができる。液浸技術は、投影システムの開口数を増大させるための技術分野において周知である。本明細書で使用される用語「液浸」は、基板などの構造が液体に浸されなければならないことを意味するのではなく、むしろ露光中に液体が投影システムと基板との間に位置することを意味するだけである。
【００３１】
図１を参照すると、イルミネータＩＬは放射源ＳＯから放射ビームを受け取る。例えば放射源がエキシマレーザである場合、放射源とリソグラフィ投影装置とは別体であってもよい。そのような場合、放射源はリソグラフィ投影装置の一部を形成するとは見なされず、放射ビームは、例えば適切な方向付けミラー及び／又はビームエキスパンダを含むビームデリバリシステムＢＤを用いて放射源ＳＯから照射装置ＩＬに通過する。他の場合では、例えば放射源が水銀灯であるとき、放射源はリソグラフィ投影装置の一体部分であってもよい。放射源ＳＯ及びイルミネータＩＬは、必要ならばビームデリバリシステムＢＤと共に、放射システムと呼ぶことができる。
【００３２】
イルミネータＩＬは放射ビームの角強度分布を調整するように構成されたアジャスタＡＤを含んでもよい。一般に、イルミネータの瞳面内の強度分布の少なくとも外側及び／又は内側半径範囲（一般にそれぞれσ−ｏｕｔｅｒ及びσ―ｉｎｎｅｒと呼ばれる）を調整できる。さらに、イルミネータＩＬは、インテグレータＩＮ及びコンデンサＣＯなどの他の様々な構成要素を含んでもよい。イルミネータを使用して放射ビームを調整し、その断面に所望の均一性及び強度分布を持たせてもよい。
【００３３】
放射ビームＢは、パターニングデバイスサポート（例えばマスクテーブルＭＴ）上に保持されているパターニングデバイス（例えばマスク）ＭＡに入射し、パターニングデバイスによってパターニングされる。パターニングデバイス（例えばマスク）ＭＡを通過した後、放射ビームＢは投影システムＰＳを通過し、投影システムＰＳはビームを基板Ｗのターゲット部分Ｃ上に集束させる。第２ポジショナＰＷ及び位置センサＩＦ（例えば干渉計装置、リニアエンコーダ、２−Ｄエンコーダ、又は静電容量センサ）を用いた場合、基板テーブルＷＴａは、たとえば放射ビームＢの経路内に異なるターゲット部分Ｃを配置するように正確に移動させることができる。ポジショナＰＭ及び別の位置センサ（図１には明示的に示されていない）を使用して、たとえばマスクライブラリからの機械的回収後に、又はスキャン中に放射ビームＢの経路に対してパターニングデバイス（たとえばマスク）ＭＡを正確に位置決めすることができる。一般に、パターニングデバイスサポート（例えばマスクテーブル）ＭＴの移動は、第１ポジショナＰＭの一部を形成するロングストロークモジュール（粗動位置決め）及びショートストロークモジュール（微動位置決め）を用いて実現することができる。同様に、基板テーブルＷＴａの移動は、第２ポジショナＰＷの一部を形成するロングストロークモジュール及びショートストロークモジュールを使用して実現することができる。ステッパの場合（スキャナとは対照的に）、パターニングデバイスサポート（例えば、マスクテーブル）ＭＴは、ショートストロークアクチュエータのみに接続されてもよく、又は固定されてもよい。
【００３４】
パターニングデバイス（例えばマスク）ＭＡ及び基板Ｗは、マスクアライメントマークＭ１、Ｍ２及び基板アライメントマークＰ１、Ｐ２を使用して位置合わせすることができる。図示の基板アライメントマークは専用のターゲット部分を占めるが、それらはターゲット部分間のスペースに配置されてもよい（これらはスクライブレーンアライメントマークとして知られている）。同様に、パターニングデバイス（例えばマスク）ＭＡ上に複数のダイが設けられている状況では、マスクアライメントマークはダイ間に配置されてもよい。装置の特徴の中で、小さなアライメントマークもダイ内に含めることができ、その場合、マークはできるだけ小さく、隣接する特徴と異なる結像又はプロセス条件を必要としないことが望ましい。アラインメントマークを検出するアラインメントシステムは、以下でさらに説明される。
【００３５】
図示の装置は、以下のモードの少なくとも１つで使用することができる。ステップモードでは、放射ビームに与えられたパターン全体が一度にターゲット部分Ｃに投影される（すなわち、単一静的露光）間、パターニングデバイスサポート（例えばマスクテーブル）ＭＴ及び基板テーブルＷＴａは本質的に静止した状態に保たれる。その後、基板テーブルＷＴａは、異なるターゲット部分Ｃを露光することができるようにＸ方向及び／又はＹ方向にシフトされる。ステップモードでは、露光フィールドの最大サイズによって、単一静的露光で結像されるターゲット部分Ｃのサイズが制限される。スキャンモードでは、パターニングデバイスサポート（たとえばマスクテーブル）ＭＴ及び基板テーブルＷＴａは同期的にスキャンされる一方、放射ビームに付けられたパターンがターゲット部分Ｃに投影される（すなわち、単一動的露光）。パターニングデバイスサポート（例えば、マスクテーブル）ＭＴに対する基板テーブルＷＴａの速度及び方向は、投影システムＰＳの（縮小）倍率及び画像反転特性によって決定されるのがよい。スキャンモードでは、露光フィールドの最大サイズが単一動的露光における目標部分の幅（非スキャン方向）を制限するのに対して、スキャン運動の長さは（走査方向の）ターゲット部分の高さを決定する。別のモードでは、パターニングデバイスサポート（例えばマスクテーブル）ＭＴは、プログラム可能なパターニングデバイスを保持して本質的に静止したままにされ、放射ビームに与えられたパターンがターゲット部分Ｃに投影される間、基板テーブルＷＴａは移動又はスキャンされる。このモードでは、一般にパルス放射源が使用され、プログラマブルパターニングデバイスは、基板テーブルＷＴａの各移動後又は走査中の連続放射パルス間で必要に応じて更新される。この動作モードは、上で言及したようなタイプのプログラマブルミラーアレイなどのプログラマブルパターニングデバイスを利用するマスクレスリソグラフィに容易に適用することができる。
【００３６】
上述の使用モードの組合せ及び／又はバリエーション、あるいは完全に異なる使用モードもまた採用可能である。
【００３７】
図１のリソグラフィ投影装置ＬＡは、２つのテーブルＷＴａ、ＷＴｂ（例えば２つの基板テーブル）と２つのステーション（パターン転写ステーションと測定ステーション）とを有するいわゆるデュアルステージタイプであり、両者の間でテーブルを交換することができる。例えば、１つのテーブル上の基板がパターン転写ステーションでパターンが転写されている間に、他の基板を測定ステーションで他の基板テーブルにロードし、様々な準備ステップを実行することができる。準備ステップは、レベルセンサＬＳを使用して（例えばマップを生成するために）基板上の複数の位置で基板の表面の高さ及び／又は傾斜を決定することと、アラインメントセンサＡＳを使用して基板上のアラインメントマークの位置を測定することとを含み、両方のセンサは基準フレームＲＦによって支持されている。結果に基づいて、基板Ｗの最上面が投影システムＰＳの焦点面に配置され、基板の適切な部分がパターン化されることを確実にするためテーブルＷＴａ、ＷＴｂの一方又は両方がそれに応じて制御されてもよい。別の例として、１つのテーブル上の基板がパターン転写ステーションでそれに転写されたパターンを有する一方で、基板のない別のテーブルが測定ステーションで待機する（任意選択で測定活動が発生し得る）。この他のテーブルは、１つ以上の測定装置を有し、そして任意に他のツール（例えば、洗浄装置）を有してもよい。基板がパターン転写を完了すると、基板のないテーブルは、例えば測定を実行するためにパターン転写ステーションに移動し、基板のあるテーブルは、基板が降ろされ、（例えば、測定ステーション）に移動し、他の基板がロードされる。これらのマルチテーブル構成は装置のスループットの向上を可能にする。
【００３８】
リソグラフィ装置が複数のテーブルを備えるか単一のテーブルを備えるかにかかわらず、基板の表面の高さ及び／又は傾斜を決定し、投影システムＰＳの焦点に対して制御するためにレベルセンサＬＳをパターン転写ステーション又はその近くに設けることができる。同様に、正確なパターン転写を可能にするように基板上のアライメントマークの位置を測定するためにアライメントセンサＡＳをパターン転写ステーション又はその近くに設けてもよい。
【００３９】
図２は、レベルセンサＬＳの一例を示す図である。図２に示すように、出力Ｓによって提供される（例えば、レーザなどの適切な光源Ｓによって生成される）放射ビーム１は、折り畳みミラー２を介して基板３に向けられる。ビーム１は基板の表面から反射され、第２の折り畳みミラー４を介して検出器５に向けられる。基板３の表面の高さの変化は、ビーム１が検出器５に入射する位置の変位として見られる。例えば、基板の表面が平坦であれば、ビーム１は検出器５の中心に入射する。基板の表面が例えば点線３ａで示される刻み目を含む場合、破線１ａで示されるように、ビーム１が反射される点が変位する。ビーム１の関連する並進が検出器５で発生し、これは基板の表面の高さが変化したことを示す。したがって、基板３の表面の高さは、レベルセンサによって厳密に監視されている。同様に、傾斜は、複数の位置で高さを測定することから導き出すことができる。
【００４０】
図３に示すように、リソグラフィ投影装置ＬＡは、リソセル又はリソクラスタとも呼ばれることがあるリソグラフィセルＬＣの一部を形成することができ、これは、基板上に１つ又は複数のパターン前後転写プロセスを実行する装置も含む。従来、これらは、レジスト層を堆積するための１つ以上のスピンコーターＳＣ、露光されたレジストを現像するための１つ以上のデベロッパＤＥ、１つ以上のチルプレートＣＨ及び１つ以上のベークプレートＢＫを含む。基板ハンドラ、又はロボットＲＯは、入出力ポートＩ／Ｏ１、Ｉ／Ｏ２から基板をピックアップし、それを異なるプロセスデバイス間で移動させ、それをリソグラフィ投影装置のローディングベイＬＢに引き渡す。しばしばまとめてトラックと呼ばれるこれらの装置は、それ自体が監視制御システムＳＣＳによって制御されるトラック制御ユニットＴＣＵの制御下にあり、監視制御システムＳＣＳもまたリソグラフィ制御ユニットＬＡＣＵを介してリソグラフィ投影装置を制御する。したがって、スループット及び処理効率を最大にするように異なる装置を動作させることができる。
【００４１】
例えば計測装置ＭＥＴ（例えばＣＤ−ＳＥＭツール、回折型光学測定システム、画像ベースの光学測定システムなど）を使用して、パターン化基板を検査して、層間のオーバーレイエラー、線の太さ、クリティカルディメンジョン（ＣＤ）、焦点、ドーズ量などの１つ以上の特性を測定することが望ましい。エラーが検出された場合、例えば、制御システムＳＣＳを使用して１つ又は複数の後続の基板のパターニングに対して調整を行うことができる。これは、例えば、同じバッチの別の基板を依然としてパターニングするのに十分な速さで検査を迅速に行うことができる場合に特に有用である。また、既にパターン化された基板は、（歩留まりを向上させるために）剥ぎ取り及び再加工されるか、又は廃棄されてもよく、それによって、欠陥があることが知られている基板上でのパターン化の実行を回避する。基板のいくつかのターゲット部分のみに欠陥がある場合、さらなるパターニングは、良好なターゲット部分に対してのみ実行されてもよい。他の可能性は、誤差を補償するために後続の処理ステップの設定を適合させることである。トリムエッチング工程の時間は、リソグラフィプロセス工程から生じる基板間のＣＤ変動を補償するように調整することができる。以下でさらに論じるように、測定は、パターニングプロセス設計（例えば、デバイス設計の設計）、制御、及び／又はモニタリングにおいて使用され得る。
【００４２】
したがって、一実施形態では、検査装置ＭＥＴを使用して基板の１つ又は複数の特性、特に異なる基板又は同じ基板の異なる層の１つ又は複数の特性が層ごとに及び／又は基板全体にわたってどのように変化するかを判定する。検査装置は、リソグラフィ投影装置ＬＡ又はリソセルＬＣに統合されてもよく、又は独立型装置であってもよい。最も迅速な測定を可能にするために、検査装置はパターニング直後にレジスト層内の１つ以上の特性を測定することが望ましい。一実施形態では、露光されたレジスト中の潜像を測定することができる。しかし、レジスト内の潜像は非常に低いコントラストを有する、即ち、放射線に露光された部分とそうでない部分との間には非常に小さな屈折率の差しかない。したがって、露光後のベーク工程（ＰＥＢ）の後に測定を行うことができ、これは通常、露光された基板に対して行われる最初の工程であり、レジストの露光部分と未露光部分との間のコントラストを高める。この段階で、レジスト内の像は半潜像的と呼ばれることがある。さらに、一実施形態では、一般的には、現像されたレジストイメージ、即ちレジストの露光部分又は未露光部分が除去された時点、又はエッチングなどのパターン転写ステップの後に測定を行うことができる。エッチング後の測定は、欠陥のある基板の再加工の可能性を制限するが、パターニングプロセス制御のための有用な情報を提供することがある。
【００４３】
システム又はプロセスの最適化プロセスにおいて、システム及び／又はプロセスの性能指数は目的関数として表すことができる。最適化プロセスは、システムの一組のパラメータ（設計変数）を見つけるプロセス及び／又は目的関数を最適化する（たとえば、最小化又は最大化する）プロセスに帰結する。目的関数は、最適化の目的に応じて任意の適切な形をとることができる。例えば、目的関数は、これらの特性の意図された値（例えば理想値）に対するシステム及び／又はプロセスの特定の特性の偏差の加重二乗平均平方根（ＲＭＳ）であり得る。目的関数はこれらの偏差の最大値（すなわち最悪の偏差）でもあり得る。システム及び／又はプロセスの設計変数は、有限範囲に限定することができ、及び／又はシステム及び／又はプロセスの実装形態の実用性により相互依存することがある。パターニングプロセスの場合、制約は、ハードウェア及び／又は調整可能範囲などの材料の物理的特性及び特性、ならびに／又はパターニングデバイス製造可能性設計規則に関連することが多い。
【００４４】
リソグラフィ投影装置では、光源がパターニングデバイスに照射（すなわち放射）を供給し、投影光学系がパターニングデバイスを介して基板上に照射を向けて整形する。空画像（ＡＩ）は、基板レベルでの放射強度分布である。基板上のレジスト層が露光され、空画像がその中の潜在的な「レジスト画像」（ＲＩ）としてレジスト層に転写される。レジスト画像（ＲＩ）は、レジスト層中のレジストの溶解度の空間分布として定義することができる。レジストモデルを使用して空画像からレジスト画像を計算することができ、その例は米国特許出願公開第２００９−０１５７３６０号に見出すことができ、その開示はその全体が参照により本明細書に組み込まれる。レジストモデルは、レジスト層の特性（例えば、露光中に発生する化学プロセス、ＰＥＢ及び現像の影響）にのみ関係している。リソグラフィ投影装置の光学特性（例えば、光源、パターニングデバイス、及び投影光学系の特性）は、空画像を決定づける。リソグラフィ投影装置で使用されるパターニングデバイスを変更することができるので、パターニングデバイスの光学特性を、少なくとも光源及び投影光学系を含むリソグラフィ投影装置の残りの部分の光学特性から分離することが望ましい場合がある。
【００４５】
リソグラフィ投影装置におけるリソグラフィをシミュレートするための例示的なフローチャートが図４に示されている。図４に示すように、放射源モデル３１は、放射源の光学特性（例えば、放射強度分布及び／又は位相分布及び／又は偏光を含む）を表す。投影光学系モデル３２は、投影光学系の光学特性（例えば、投影光学系によって引き起こされる放射強度分布及び／又は位相分布への変化を含む）を表す。設計レイアウトモデル３５は、設計レイアウトの特性（例えば、所与の設計レイアウト３３によって引き起こされる放射強度分布及び／又は位相分布の変化を含む）を表し、これは、これは、パターニングデバイス上の、又はパターニングデバイスによって形成されたフィーチャの配置の表現である。空中像３６は、設計レイアウトモデル３５、投影光学モデル３２及び設計レイアウトモデル３５からシミュレートすることができる。レジストモデル３７を用いて、空中像３６からレジスト画像３８をシミュレートすることができる。リソグラフィのシミュレーションは、例えば、レジスト画像内の輪郭及びＣＤを予測することができる。
【００４６】
より具体的には、光源モデル３１は、レンズ開口数設定、照射シグマ（σ）設定、及び／又は照射形状特性（例えば環状、四極、双極のようなオフアクシス放射など）のような照射の光学特性を表すことができることに留意すべきである。投影光学系モデル３２は、収差、ディストーション、１つ以上の屈折率、１つ以上の物理的サイズ、１つ以上の物理的寸法などのような投影光学系の光学特性を表すことができる。設計レイアウトモデル３５は、例えば、参照によりその全体が組み込まれる米国特許第７，５８７，７０４号に記載されているように、物理的パターニングデバイスの１つ又は複数の物理的特性を表すことができる。シミュレーションの目的は、例えば、エッジ配置、強度照度勾配及び／又はＣＤを正確に予測することである。シミュレーション結果は、意図された設計レイアウトについての関連値と比較してもよく、改善された設計レイアウトを生成するために任意に使用できる。意図された設計レイアウトは、一般に、ＯＰＣ前の設計レイアウトとして定義され、設計レイアウトは、ＧＤＳＩＩ又はＯＡＳＩＳなどの標準化されたデジタルファイルフォーマット、又は他のファイルフォーマットで提供することができる。
【００４７】
エッチング装置内のエッチング又は計測装置内の計測（例えば、レベルセンサ、アライメントセンサ、ＣＤ、オーバーレイ、線量又は焦点測定システムなど）をシミュレートするために同様のフローチャートを適用することができることを理解すべきである。例えば、光学計測装置の場合、線源モデルは、測定放射線の光学特性（例えば、放射線強度分布及び／又は位相分布及び／又は偏光を含む）を表すことができる。測定ハードウェアモデルは、計測装置ハードウェアの光学投影及び測定特性を表すことができる。測定放射線分布（例えば、瞳孔内の強度分布）は、線源モデル及び測定ハードウェアモデルからシミュレートすることができる。
【００４８】
設計レイアウトから、１つ又は複数の部分を識別することができ、それらは「クリップ」と呼ばれる。一実施形態では、設計レイアウト内の複雑なパターンを表す一組のクリップが抽出される（任意の数のクリップを使用することができるが、典型的には約５０〜１０００個のクリップ）。これらのパターン又はクリップは、設計の小さな部分（すなわち回路、セル又はパターン）を表し、より具体的には、クリップは通常、特定の注意及び／又は検証が必要とされる小さな部分を表す。言い換えれば、クリップは、設計レイアウトの一部であり得るか、又は設計レイアウトの一部の類似又は類似の挙動を有し得、ここで１つ又は複数の重要な特徴が経験によって（顧客によって提供されるクリップを含む）、トライアンドエラーによって、又はフルチップシミュレーションを実行することで特定できる。クリップには、１つ以上のテストパターン又はゲージパターンを含めることができる。クリップはプロセスを制限することがあるので、それらの研究は、設計レイアウトの全ての挙動を研究することを回避するのを助けるか、又はより効率的かつ迅速にパターニングプロセスの研究（そして制御、モニタリング、設計など）を可能にする。
【００４９】
特定の画像最適化を必要とする設計レイアウト内の１つ又は複数の既知の重要な特徴領域に基づいて、初期のより大きいクリップのセットが顧客によって先験的に提供されることがある。あるいは、別の実施形態では、１つ又は複数の重要な特徴領域を識別する何らかの種類の自動化（マシンビジョンなど）又は手動のアルゴリズムを使用することによって、最初のより大きいクリップのセットを設計レイアウト全体から抽出することができる。
【００５０】
シミュレーション又は他の評価を可能にするために、目的関数は次のように表現され得る。
【００５１】
【数１】
2019533202.tif 000003
【００５２】
ここで、（ｚ１，ｚ２，・・・，ｚN）は、Ｎ個の設計変数又はその値である。ｆｐ（ｚ１，ｚ２，・・・，ｚN）は、（ｚ１，ｚ２，・・・，ｚN）の設計変数の値のセットの特性の実際値と目標値との差のような設計変数（ｚ１，ｚ２，・・・，ｚN）の関数であってもよい。（ｚ１，ｚ２，・・・，ｚN）の設計変数の値ｗｐは、ｆｐ（ｚ１，ｚ２，・・・，ｚN）に関連付けられた重み定数である。もちろん、ＣＦ（ｚ１，ｚ２，・・・，ｚN）は式１の形に限定されない。ＣＦ（ｚ１，ｚ２，・・・，ｚN）は、他の適切な形式にしてもよい。
【００５３】
目的関数に含まれる関数ｆｐ（ｚ１，ｚ２，・・・，ｚN）は、例えばリソグラフィ投影装置の、リソグラフィ処理の、基板のパターニング処理の任意の１つ又は複数の適切な特性、例えば、エッチング装置、計測装置、ＣＤ、フォーカス、画像シフト、画像歪み、画像回転、確率的変動、スループット、局所的なＣＤ変動、プロセスウィンドウ、層間特性、又はそれらの組み合わせを表すことができる。一実施形態では、設計変数（ｚ１，ｚ２，・・・，ｚN）は、パターニングプロセスの１つ又は複数のパラメータ、例えばリソグラフィ投影装置、リソグラフィプロセス、基板、エッチングプロセス、計測装置のフォーカス、ドーズ、パターニングデバイスのグローバルバイアス、照射の偏光、及び／又は照射の形状を含んでもよい。設計変数は、パターニングデバイスの調整可能パラメータ、（投影又は測定）照射、（投影又は測定）光学系、線量、焦点などの任意の調整可能パラメータを含むことができる。基板上のパターンを決定付けるのはレジスト画像であることが多いので、目的関数はレジスト画像の１つ以上の特性を表す関数を含むことができる。例えば、ｆｐ（ｚ１，ｚ２，・・・，ｚN）は、単にレジスト画像内の点とその点の意図された位置との間の距離（すなわち、エッジ配置誤差ＥＰＥｐ（ｚ１，ｚ２，・・・，ｚN））であってもよい。
【００５４】
リソグラフィ投影装置は、波面の形状ならびに放射ビームの強度分布及び／又は位相シフトを調整するために使用することができる「波面マニピュレータ」と総称される構成要素を含むことができる。一実施形態では、リソグラフィ投影装置は、パターニングデバイスの前、瞳面の近く、像面の近く、及び／又は焦点面の近くなど、リソグラフィ投影装置の光路に沿った任意の位置で波面及び強度分布を調整することができる。波面マニピュレータは、例えば照射システム、パターニングデバイス、リソグラフィ投影装置内の温度変動、リソグラフィ投影装置の構成要素の熱膨張によって引き起こされる波面の特定のディストーション及び強度分布及び／又は位相シフトを補正又は補償するために使用することができる。波面及び強度分布及び／又は位相シフトを調整することは、目的関数によって表される特性の値を変えることができる。このような変化は、モデルからシミュレートすることも、実際に測定することもできる。設計変数は波面マニピュレータのパラメータを含むことができる。
【００５５】
設計変数は制約条件を持つことができ、（ｚ１，ｚ２，・・・，ｚＮ）∈Ｚとして表すことができ、ここでＺは設計変数の可能な値の集合である。設計変数に対する１つの可能な制約は、リソグラフィ投影装置の所望のスループットによって課されることがある。所望のスループットによって課されるそのような制約がないと、最適化は、現実的ではない設計変数の値のセットを生み出す可能性がある。例えば、線量がそのような制約のない設計変数である場合、最適化はスループットを経済的に不可能にする線量値をもたらす可能性がある。ただし、制約の有用性は必然として解釈されるべきではない。
【００５６】
したがって、最適化プロセスは、制約条件（ｚ１，ｚ２，・・・，ｚN）∈Ｚの下で、以下を見つけるために、目的関数を最適化する1つ又は複数の設計変数の値の集合を見つけることである。
【００５７】
【数２】
2019533202.tif 000004
【００５８】
【数３】
2019533202.tif 000005
【００５９】
ここで、εはゼロ又はゼロから外れた小さい値である。例えば、εは０．１、０．０１、０．２、０．４、−０．０１、−０．１、−０．４などに等しい。
【００６０】
一実施形態による最適化の一般的な方法が図５に示されている。例として、最適化方法はリソグラフィプロセスを最適化するために使用される。しかしながら、エッチングプロセスを追加的に又は代替的に最適化するために、及び／又は計測プロセスを追加的又は代替的に最適化するために、類似の方法を実施することができることを理解すべきである。図５に示されるように、この方法は、複数の設計変数の多変数目的関数を定義するステップ３０２を含む。設計変数は、例えば照射の１つ又は複数の特性（３００Ａ）（たとえば瞳孔充填率、すなわち瞳孔又は開口部を通過する照射の放射の割合）、投影光学系（３００Ｂ）のより多くの特性及び／又は設計レイアウト（３００Ｃ）の１つもしくは複数の特性を表す設計変数の任意の適切な組み合わせを含むことができる。例えば、設計変数は、照射（３００Ａ）及び設計レイアウト（３００Ｃ）の１つ又は複数の特性（例えば、グローバルバイアス）を表すが投影光学系（３００Ｂ）の１つ又は複数の特性のものではない設計変数を含み得る。これは、照射パターニングデバイス（例えばマスク）最適化（「光源マスク最適化」又はＳＭＯ）をもたらす。あるいは、設計変数は、照射（３００Ａ）（任意選択で偏光）、投影光学系（３００Ｂ）、及び設計レイアウト（３００Ｃ）の１つ又は複数の特性を表す設計変数を含むことができ、これは照射パターニングデバイス（例えば、マスク）―投影システム（例えば、レンズ）の最適化（放射源―マスク―レンズの最適化、又はＳＭＬＯ）をもたらす。ステップ３０４では、目的関数が収束に向かって移動するように設計変数が同時に調整される。ステップ３０６において、所定の終了条件が満たされるかどうかが決定される。所定の終了条件は、様々な可能性を含み、例えば、使用される数値的手法によって要求されるように、目的関数が最小化又は最大化される、目的関数の値が閾値に等しい、若しくは閾値を越える、目的関数の値が予め設定された誤差限界内に達する、及び／又は予め設定された反復修正回数に達する、の１つ又はそれ以上から選択される。ステップ３０６の条件が満たされると、方法は終了する。ステップ３０６における１つ以上の条件が満たされない場合、所望の結果が得られるまでステップ３０４及び３０６が反復的に繰り返される。瞳孔充填率、レジストの化学的性質、処理量などの要因によって引き起こされる物理的な制約がある可能性があるため、最適化は必ずしも１つ又は複数の設計変数に対する単一の値のセットをもたらさない。最適化は、１つ又は複数の設計変数及び関連する性能特性（例えばスループット）について複数組の値を提供することができ、リソグラフィ投影装置のユーザが１つ又は複数の組を選択することを可能にする。
【００６１】
照射、パターニングデバイス、及び投影光学系は、交互に最適化（代替最適化と呼ばれる）又は同時に最適化（同時最適化と呼ばれる）することができる。設計レイアウトの複数の層上のパターンは、同時に又は交互に最適化することができる。本明細書で使用される「同時」、「同時に」、「共同」及び「共同の」という用語は、パターニングプロセスの１つ又は複数の特性を表す１つ又は複数の設計変数及び／又は任意の他の設計変数が同時に変更可能であることを意味する。本明細書で使用される「代替的」及び「代替的に」という用語は、設計変数のすべてが同時に変化することが許されるわけではないことを意味する。
【００６２】
図５では、全ての設計変数の最適化が同時に実行されている。そのようなフローは、同時フロー又は共最適化フローと呼ばれることがある。あるいは、図６に示すように、全ての設計変数の最適化が交互に実行される。このフローでは、各ステップで、目的関数を最適化するために他の設計変数を変更しながら、いくつかの設計変数を固定する。それから、次のステップでは、他の変数が目的関数を最適化するために変更されている間に、変数の異なるセットが固定される。これらのステップは、収束又は特定の終了条件が満たされるまで交互に実行される。図６の非限定的な例示のフローチャートに示されるように、最初に設計レイアウト（ステップ４０２）が取得され、次にステップ４０４で照射最適化のステップが実行され、そこで照射の１つ以上の設計変数が最適化され（ＳＯ）、他の設計変数が固定されている間に目的関数を最小化又は最大化する。次に、次のステップ４０６において、他の設計変数が固定されている間に、目的関数を最小化又は最大化するようにパターニング装置（例えばマスク）最適化（ＭＯ）が実行される。これら２つのステップは、ステップ４０８で特定の終了条件が満たされるまで交互に実行される。目的関数の値が閾値と等しくなる、目的関数の値が閾値を超える、目的関数の値が予め設定された誤差限界内に達する、予め設定された反復修正に達するなど、１つ又は複数の様々な終了条件を使用することができる。代替フローの例として、ＳＯ−ＭＯ−交互最適化が使用されていることに留意すべきである。代替フローは、ＳＯ、ＬＯ（投影光学系最適化）が実行され、ＭＯが交互に反復的に実行されるＳＯ−ＬＯ―ＭＯ代替最適化、最初にＳＭＯを１回実行し、次いでＬＯ及びＭＯを交互に反復的に実行するなど、多くの異なる形態をとることができる。他の選択肢は、ＳＯ―ＰＯ―ＭＯ（照射最適化、偏光最適化及びパターニングデバイス最適化）である。本開示を考慮すると、所望の最適化結果を達成するために、多数の置換及び部分最適化の組み合わせが可能である。最後にステップ４１０で最適化結果の出力が得られ、プロセスは停止する。
【００６３】
また、上記の説明はリソグラフィプロセスに焦点を当てていたが、パターニングプロセスのエッチングプロセス、計測プロセスなどにも同様の技法を適用することができる。さらに、エッチングプロセス又は計測プロセスの最適化は、パターニングプロセスの他のプロセスと組み合わせることができる。例えば、リソグラフィプロセスは、計測プロセス及び／又はエッチングプロセス（同時最適化、代替最適化などによるかどうかにかかわらず）を用いて最適化することができる。別の例として、計測プロセスはエッチングプロセスを用いて最適化することができる（同時最適化、代替最適化などによるものであろうとなかろうと）。
【００６４】
上述のように、製品を製造することは、基板上にパターニングスタックを加工することを含み得る。図７は、基板６１０の上の例示的なパターニングスタック６６０を示す。図示されているように、パターニングスタック６６０は、ハードマスク層６２０、底部反射防止コーティング（ＢＡＲＣ）層６３０、レジスト（例えばフォトレジスト）層６４０、及びトップコート層６５０を含む。一実施形態では、パターニングスタック６６０は、図７に示すように層の一部を含むことができる。例えば、パターニングスタック６６０はトップコート層６５０を含まなくてもよい。一実施形態では、パターニングスタック６６０は、例えばＢＡＲＣ層６３０とハードマスク層６２０との間に、１つ又は複数の追加の層、たとえば犠牲光吸収材料（ＳＬＡＭ）層を含むことができる。ＳＬＡＭ層（図示せず）は、パターニングスタック６６０内の定在波を低減するように構成された放射線吸収特性を有するポリマー材料を含むことができる。
【００６５】
ハードマスク層６２０は、メモリ又は記憶層とも呼ばれ、基板６１０上に直接配置することができる。ハードマスク層６２０は、レジスト層６４０からハードマスク層６２０にパターンを転写するエッチングプロセスにおいてパターニングされるように設けられる。ハードマスク層６２０は、窒化ケイ素、二酸化ケイ素、又は１つ以上の他の適切な材料を含んでよい。一実施形態では、ハードマスク層６２０はスピンオンカーボン（ＳｏＣ）ハードマスク層とすることができる。ＢＡＲＣ層６３０は、ハードマスク層６２０の上に配置されてもよく、パターニングスタック６６０内の定在波を低減するように構成された反射防止材料を含んでもよい。
【００６６】
レジスト層６４０は、ＢＡＲＣ層６３０の上に配置されてもよい。レジスト層６４０は、パターニングデバイスからレジスト層６４０にパターンを転写するリソグラフィプロセスでパターニングされるように設けられる。トップコート層６５０は、レジスト層６４０上にコーティングされてもよい。例えば、液浸リソグラフィでは、フォトレジストの露光中に、レジスト層６４０とトップコート層６５０の両方が液体、例えば水で覆われる。トップコート層６５０は、液体とレジストとの間の化学拡散を防止するように構成され、したがって、例えば、レジスト層６４０内の欠陥を減少させる。
【００６７】
パターニングプロセスの動作において、パターニングスタック６６０は、図７に示されるように基板６１０上に提供される。１つ以上の計測センサ（例えば、レベルセンサ及び／又はアライメントセンサ及び／又はＣＤ、オーバーレイ、焦点又は線量測定システム）を使用して、パラメータ（例えば、位置、オーバーレイ、ＣＤなど）を決定することができる。基板６１０の上に、リソグラフィ投影装置を使用してレジスト層６４０を露光することによってレジスト層６４０上にパターンを生成することができ、エッチング装置を使用してレジスト層６４０上の現像パターンをハードマスク層６２０に転写することができる。いくつかの例では、ハードマスク層６２０は、例えば複数回（二回、三回など）のパターニングにおいて、リソグラフィ処理及びエッチングを繰り返すことによって複数回パターニングすることができる。
【００６８】
上述のように、パターニングスタックの光学特性は、計測センサ（例えば、アライメントセンサＡＳ、及び／又はレベルセンサＬＳ、及び／又は計測装置ＭＥＴ）の測定精度及びリソグラフィ装置及びエッチング装置のパターニング性能に影響を及ぼす。さらに、パターニングスタックの光学特性は、１つ又は複数の材料特性及びパターニングスタックの各層の厚さによって決まる。具体的には、パターニングスタックの各層の材料特性は、例えば、材料の種類、材料の屈折率ｎ、及び／又は材料の減衰係数ｋによって特徴付けることができる。したがって、材料の種類、屈折率ｎ、減衰係数ｋ、及び／又はパターニングスタックの１つ又は複数の層の厚さを変更すると、計測センサ、リソグラフィ装置、及び／又はエッチング装置の性能が変わる可能性がある。
【００６９】
さらに、パターニングスタックの各層の材料特性は、材料の電気的要件、材料のエッチング要件（例えば、エッチング選択性、エッチング速度など）、及び／又は任意の他の適切な要件に基づいて選択され得る。材料特性を変更することは、例えば層の材料中に適切な量の酸又は塩基を添加することによって、材料を完全に異なるタイプの材料で置き換えること、又は材料の組成を調整することを含み得る。
【００７０】
したがって、パターニングスタックを最適化することは、１つ又はそれ以上の計測センサ、リソグラフィ装置、及びエッチング装置を最適化するために、製造されるデバイスの（例えば電気的要件）、及び／又はパターニングプロセスの（例えば厚さ、使用される材料の要件）１つ又はそれ以上の要件を前提に、屈折率ｎ、減衰係数ｋ、及びパターニングスタックの１つ以上の層の厚さなどの１つ以上の設計変数を最適化することと同じであり得る。
【００７１】
パターニングスタックを使用して製造されたデバイスにおいて機能目的でパターニングスタックを選択するだけでなく、リソグラフィプロセス中の投影放射の反射率を最小にするために、パターニングスタック６６０の１つ以上の層の厚さを選択する。これは、レジスト層６４０内への入射放射とＢＡＲＣ層６３０からの反射放射とがレジスト層６４０内で干渉すると、望ましくない定在波が形成される可能性があるために行われる。定在波は、レジスト層６４０内のパターンの側壁に望ましくないリッジを生じさせる可能性がある。したがって、例えば、ＢＡＲＣ層６３０の厚さは、レジストを通って戻る放射の反射率を最小にするように選択される。ＢＡＲＣ層６３０の厚さの選択によって反射率を最小にすることは、レジスト層６４０における定在波の形成を減少させることができる。いくつかの例では、ＢＡＲＣ層６３０の厚さは、ＢＡＲＣ層６３０の厚さが変化するにつれて反射率が正弦曲線を示すように変化することを示す振幅曲線に基づいて選択することができる。
【００７２】
しかし、リソグラフィプロセス、計測プロセス、及び／又はエッチングプロセスにおけるパターンプロファイルを考慮に入れないと、既存のプロセスは、エッチングプロセス後にハードマスク層６２０上に望ましいパターンを形成することができない可能性がある。一実施形態では、パターンプロファイルは、空画像、レジスト画像、又はエッチング像と呼ばれることがあり、適切な数学モデルを使用した測定又はシミュレーションによって得られる。
【００７３】
したがって、リソグラフィプロセス、計測プロセス及び／又はエッチングプロセスにおけるパターニングプロファイルを考慮に入れたパターニングスタック最適化のための方法及び／又は装置を提供することが望ましい。パターンスタック最適化のための方法は、ＢＡＲＣ層の反射率以外に、計測プロセス、リソグラフィプロセス、及びエッチングプロセスにおける１つ又は複数の特性を最適化するために適用することができる。
【００７４】
図８は、パターニングスタックの最適化のための例示的な方法を示す図である。ステップＳ５０２において、存在するならば、１つ以上の関連する調整範囲を含む、１つ以上の設計変数の各々の初期値が取得される。一実施形態では、１つ又は複数の設計変数、すなわちｚ１，ｚ２，・・・，ｚＮ（Ｎ≧１）は、１つ又はそれ以上のパターニングスタックの材料タイプ、屈折率ｎ、消衰係数ｋ、及び／又は厚さから選択される。
【００７５】
ステップＳ５０４において、１つ以上の設計変数に対応して、１つ以上のパラメータの各々に対する値が得られる。１つ以上のパラメータのそれぞれは、最適化されるべきパターニングプロセス（例えば、計測プロセス、リソグラフィプロセス、及びエッチングプロセス）の特性を表す。例えば、一実施形態では、１つ又は複数のパラメータのうちの少なくとも１つのパラメータは計測プロセスの１つ又は複数の特性を表す。一実施形態では、少なくとも１つのパラメータは、アライメントセンサ（例えば、図１のリソグラフィ投影装置のセンサＡＳ）のアライメント精度を特徴付けるアライメントパラメータ、レベルセンサ（例えば、図１のリソグラフィ投影装置のセンサＬＳ）の精度を特徴付けるレベリングパラメータ、及び／又は計測装置（例えば、図３の計測装置ＭＥＴ）の測定精度を特徴付ける計測パラメータから選択される１つ又はそれ以上のパラメータである。少なくとも１つのパラメータの値は、センサモデルを使用して計測センサ（例えば、アライメントセンサＡＳ、又はレベルセンサＬＳ、又は計測装置ＭＥＴ）のシミュレーションに基づいて決定することができる。少なくとも１つのパラメータの値は、１つ以上の設計変数に基づいてシミュレート又は測定することができる。
【００７６】
一実施形態では、１つ又は複数のパラメータのうちの少なくとも１つのパラメータは、パターニングプロセスで生成されたリソグラフィパターンプロファイル（たとえば、転写像の空画像又はレジスト画像）の１つ又は複数の特性を表す。そのような少なくとも１つのパラメータの値は、パターニングプロセスにおいて予測／生成された１つ又は複数のリソグラフィパターンプロファイルに基づいて決定することができる。１つ以上のパターンプロファイルは、１つ以上の設計変数に基づいてシミュレート又は測定されてもよい。一実施形態では、リソグラフィパターンプロファイルは空画像又はレジスト画像である。一実施形態では、そのような少なくとも１つのパラメータは、レジスト画像（図９Ａに示す）に基づいて定在波を特徴付ける定在波パラメータ、レジスト画像（図９Ｂに示す）に基づいてコントラスト変動を特徴付けるコントラスト変動パラメータ、空中像（図９Ｃに示す）又はレジスト画像に基づいて左側壁角又は右側壁角を特徴付ける側壁角パラメータ、レジスト画像又は測定値に基づいてＣＤ後現像を特徴付ける、空中像又はレジスト画像に基づいて構造の足元での変動を特徴付けるフーティングパラメータ、レジストに基づいてレジスト損失後現像を特徴付けるレジストロスパラメータ、空中像（図９Ｃに示す）又はレジスト画像に基づいて、構造的非対称性（例えば、左側壁角度と右側壁角度との間の差又は底面傾斜）を特徴付ける非対称性パラメータなどから選択される１つ又はそれ以上のパラメータである。
【００７７】
一実施形態では、１つ又は複数のパラメータのうちの少なくとも１つのパラメータは、エッチングプロセスの１つ又は複数の特性を表す。一実施形態では、そのような少なくとも１つのパラメータは、シミュレーション又は測定に基づいてエッチング後のＣＤを特徴付けるバックエンドＣＤパラメータ、エッチング後のパターン配置誤差を特徴付けるパターン配置パラメータ、リソグラフィエッチバイアス（すなわち、ＣＤポストエッチングとＣＤポスト現像との間の差）を特徴づけるリソグラフィエッチバイアスパラメータなどから選択される１つ以上を含む。エッチング後のパターン配置誤差は、リソグラフィパターンプロファイルの非対称性によって引き起こされる可能性がある。したがって、パターン配置パラメータを最適化することは、上述のように非対称性パラメータを最適化することと同じであり得る。一実施形態では、リソグラフィエッチングパラメータは、後端ＣＤパラメータと前端ＣＤパラメータとの間の差である。リソグラフィエッチングバイアスは、空画像又はレジスト画像中の側壁角によって引き起こされ得る。したがって、リソエッチングバイアスパラメータを最適化することは、上述のように側壁角度パラメータを最適化することと同じであり得る。一実施形態では、そのような少なくとも１つのパラメータの値は、エッチングモデルを用いた測定又はシミュレーションに基づいて決定される。
【００７８】
ステップＳ５０５において、１つ又は複数のパラメータに関して１つ又は複数の設計変数の最適値を見つけるために関数（たとえば、目的関数）が設定される。一実施形態では、最適化の目的で、関数は、ステップＳ５０４で説明したように、それぞれが１つ又は複数のパラメータのうちの１つを表す、１つ又は複数のｆｐ（ｚ１，ｚ２，・・・，ｚN）の関数を含む。例えば、一実施形態では、この関数は、ただ１つのパラメータについて１つ又は複数の設計変数ｚ１，ｚ２，・・・，ｚN（Ｎ≧１）を最適化するために使用される。したがって、目的関数は、１つのパラメータを表す関数ｆｐ（ｚ１，ｚ２，・・・，ｚN）のみを含む。別の例では、一実施形態では、この関数は、２つ以上のパラメータをまとめて最適化するために１つ以上の設計変数ｚ１，ｚ２，・・・，ｚN（Ｎ≧１）を最適化するために使用される。したがって、一実施形態では、関数は、それぞれが２つ以上のパラメータのうちの１つを表す２つ以上の関数ｆｐ（ｚ１，ｚ２，・・・，ｚN）の組み合わせである。一実施形態では、関数は、それぞれ式（１）のようにパラメータのうちの１つを表す２つ以上の関数ｆｐ（ｚ１，ｚ２，・・・，ｚN）の重み付けされた組合せである、すなわち異なるパラメータは異なる重み付けを有する。
【００７９】
ステップＳ５０６で、関数は、第１の反復ステップ（ｉ＝０）のための１つ又は複数の設計変数の開始点値の周りの十分に小さい範囲内で展開される。
【００８０】
ステップＳ５０８において、１つ又は複数の設計変数の値のセット、すなわちｚ１，ｚ２，・・・，ｚN（Ｎ≧１）に対応する１つ又は複数のパターンプロファイルが、測定又はシミュレーションのいずれかによって得られる。一実施形態では、１つ又は複数のパターンプロファイルのそれぞれは、空画像（例えば、投影光学系又はレジストモデルを用いた測定又はシミュレーションによる）、レジスト画像（例えば、レジストモデルを用いた測定又はシミュレーションによる）、又はエッチング画像（例えば、エッチングモデルを用いた測定又はシミュレーションによる）である。１つ又は複数のパターンプロファイルを使用して、１つ又は複数のパラメータｆｐ（ｚ１，ｚ２，・・・，ｚN）の値が決定される。
【００８１】
ステップＳ５１０において、標準的な最適化技術が関数に適用されて、１つ又は複数の設計変数の値の最適な組、すなわち（ｚ~１，ｚ~２，・・・，ｚ~N）（「ｚ~」はチルダ付きのｚ）が見つけられる。一実施形態では、例えばシステマチックエラー又は他の回避できないエラーにより設計変数が（ｚ~１，ｚ~２，・・・，ｚ~N）からずれた場合でも、式（２）又は（２'）の目的関数を用いて、１つ又は複数の設計変数の値がわずかにずれても目的関数の値があまり変わらないようにロバストパターニングプロセスを得る。最適化問題は、Ｓ５１０での最適化プロセス中、又は最適化プロセスの後の段階で、１つ又は複数の調整範囲などの制約を適用できることに留意すべきである。
【００８２】
ステップ５１２において、所定の終了条件が満たされるかどうかが決定される。所定の終了条件は、様々な可能性、例えば、使用される数値技術によって要求されるように、関数が最小化又は最大化される、関数の値が閾値に等しい、若しくは閾値を横切る、関数の値が事前設定されたエラー限度内に達する、及び／又は事前設定された反復修正回数に達する、の１つ又は複数から選択される。一実施形態では、終了条件は、１つ又は複数の設計変数の値のセットに対応する１つ又は複数のパターンプロファイルが１つ又は複数の所定のルールを満たすかどうかであり得る。例示的なルールは、得られたパターンプロファイルに従ったレジスト損失の量が事前設定された閾値を下回るべきであることである。しかしながら、他の適切なルールが追加的又は代替的に適用されてもよい。所定の終了条件が満たされない場合、処理はステップＳ５１６に進む。ステップＳ５１６では、１回以上の設計変数の値を、ｉ回目の繰り返しの結果で更新し、処理をステップＳ５０８に戻す。終了条件が満たされる場合、処理はステップＳ５１８に進む。
【００８３】
ステップＳ５１８において、１つ又は複数の設計変数の値のセット、すなわち（ｚ~１，ｚ~２，・・・，ｚ~N）が出力される。一実施形態では、選択を可能にするために、１つ又は複数の設計変数の複数の値（例えば複数の値の組）を（例えば、１つ又はそれ以上のパラメータ又はパラメータの組み合わせから生成されたインジケータの１つ又はそれ以上の対応する値のような性能インジケータを使用して）出力及びランク付けすることができる。それに加えて又はその代わりに、ステップＳ５１８において、１つ又は複数の設計変数の値の組に基づく他のデータが出力される。例えば、ステップＳ５１８で、１つ又は複数の設計変数の値の組に従ってパターンスタックレイアウトが生成され、ディスプレイ上にユーザに提示される。
【００８４】
上述のように、一実施形態では、図８のパターニングスタック最適化の方法は、パターニングプロセスの頑健性を可能にするために、すなわち１つ又は複数の設計変数の値が（ｚ~１，ｚ~２，・・・，ｚ~N）から外れるとき、１つのパラメータ又は１つ又はそれ以上のパラメータの重み付けされた組み合わせはあまり変化しない。しかし、１つ又は複数の設計変数（ｚ~１，ｚ~２，・・・，ｚ~N）の値のセットを考えると、１つ又は複数のパラメータの対応する値は所望の値に等しくない可能性がある。一実施形態では、１つ以上のパラメータの値は、設計変数ｚ~１，ｚ~２，・・・，ｚ~N以外の１つ以上の変数を調整することによって、例えばリソグラフィ処理のドーズ量を変更することによって所望の値に変更され得る。これに関連して、図５／図６の方法は、図８の方法と統合することができる。例えば、パターン形成スタックが（例えば、層の光学特性及び／又は厚さにおける）変動に対するロバスト性に関して最適化されている場合、図８の方法を通して、パターンの忠実度それ自体は、（例えば、ＳＭＯ、ＯＰＣなどによる）再調整を必要とし得る。したがって、一実施形態では、例えば、図８の方法によって最適な、又はそうでなければ所望のパターニングスタックが得られると、図５／図６で決定された１つ又はそれ以上の設計変数は、図５／図６の方法を実行することで再考される。すなわち、図８の方法の結果に基づいてＳＭＯ、ＯＰＣ又は他の関連プロセスを実行することができる。さらに、一実施形態では、次いで、図８の方法は、図５／図６の方法の結果に基づいて再実行され、したがって、反復スキームは、１つ又はそれ以上の所望、例えば閾値に達したとき、反復修正の結果が５％以上、２％以上、１％以上異ならない値に達する。追加的又は代替的に、一実施形態では、図５／図６及び図８の方法は、共最適化法に統合される。したがって、これらの手法では、例えば、照射、パターニングデバイスパターン、及びパターニングスタックは、例えば３つすべてを最適化する反復又は共最適化プロセスで最適化される。
【００８５】
焦点は変動に対するロバスト性であるが、本明細書に記載の方法はそのように限定されない。例えば、追加的に又は代替的に、基板上にパターニングされる（又は実際にパターニングされる）パターンフィーチャのパターン忠実度（例えば、ＣＤ、側壁角度（ＳＷＡ）、エッジラフネスなど）を方法の一部として対象とすることができる。すなわち、例えば、１つ又は複数のパターン忠実度パラメータを、変動に対するロバストネスに加えて又はその代わりに最適化することができる。例えば、パターニングスタックの最適化は、ＳＭＯ、ＯＰＣなどの方法（例えば、上述のように同時最適化又は反復プロセス）に統合することができる。したがって、プロセス変動に対するロバスト性に加えて、又はその代わりに、パターニングされるべき１つ又は複数の公称フィーチャを向上させることができる。
【００８６】
ステップＳ５１０における最適化プロセスの実施形態は、以下により詳細に説明される。 例示的な最適化プロセスでは、設計変数（ｚ１，ｚ２，・・・，ｚN）とｆｐ（ｚ１，ｚ２，との間の関係は、十分に滑らか（例えば、一次関数{∂ｆｐ（ｚ１，ｚ２，・・・，ｚN）}／∂ｚｎ，（ｎ＝１，２，・・・，Ｎ）が存在する）でない限り、仮定又は近似されないが、これは一般的にパターニングで有効である。（ｚ~１，ｚ~２，・・・，ｚ~N）を見つけるために、Ｇａｕｓｓ−Ｎｅｗｔｏｎアルゴリズム、Ｌｅｖｅｎｂｅｒｇ−Ｍａｒｑｕａｒｄｔアルゴリズム、Ｂｒｏｙｄｅｎ−Ｆｌｅｔｃｈｅｒ−Ｇｏｌｄｆａｒｂ−Ｓｈａｎｎｏアルゴリズム、勾配降下アルゴリズム、シミュレーテッドアニーリングアルゴリズム、内点アルゴリズム、及び遺伝的アルゴリズムなどのアルゴリズムを適用することができる。一実施形態では、実験データを含めることができ、その場合、分散分析（ＡＮＯＶＡ）及び機械学習アルゴリズムを使用して対応するｆ関数を決定することができる。一実施形態では、ＥＵＶ照射最適化などのために離散パラメータが関連し得る。そのような場合、「分枝限定」などの離散最適化アルゴリズムを使用することができる。複数の最適条件が共存する場合、例えば手順の粗探索段階においてモンテカルロ法を使用することができる。
【００８７】
ここでは、例としてＧａｕｓｓ−Ｎｅｗｔｏｎアルゴリズムを使用する。Ｇａｕｓｓ−Ｎｅｗｔｏｎアルゴリズムは、一般的な非線形多変数最適化問題に適用可能な反復法である。設計変数（ｚ１，ｚ２，・・・，ｚN）が（ｚ１ｉ，ｚ２ｉ，・・・，ｚＮｉ）の値をとるi回目の反復修正では、Ｇａｕｓｓ−Ｎｅｗｔｏｎアルゴリズムはｆｐ（ｚ１ｉ，ｚ２ｉ，・・・，ｚＮｉ）の近傍で、（ｚ１，ｚ２，・・・，ｚN）を計算し、（ｚ１ｉ，ｚ２ｉ，・・・，ｚＮｉ）の近傍で最小のＣＦ（ｚ１，ｚ２，・・・，ｚN）が得られる（ｚ１（ｉ＋１），ｚ２（ｉ＋１），・・・，ｚＮ（ｉ＋１））を計算する。設計変数（ｚ１，ｚ２，・・・，ｚN）は、（ｉ＋１）回目の反復修正で（ｚ１（ｉ＋１），ｚ２（ｉ＋１），・・・，ｚＮ（ｉ＋１））の値をとる。この反復修正は、収束がそれ以上減少しなくなる（例えばＣＦ（ｚ１，ｚ２，・・・，ｚN）がそれ以上減らなくなる）まで、又はあらかじめ設定された反復回数に達するまで続く。
【００８８】
具体的には、i回目の反復では、（ｚ１ｉ，ｚ２ｉ，・・・，ｚＮｉ）の近傍で、以下の数式４となる。
【００８９】
【数４】
2019533202.tif 000006
【００９０】
数式４の近似で、目的関数は、以下の数式５となる。
【００９１】
【数５】
2019533202.tif 000007
【００９２】
これは、設計変数（ｚ１，ｚ２，・・・，ｚN）の二次関数である。設計変数（ｚ１，ｚ２，・・・，ｚN）を除いて、すべての項は定数である。
【００９３】
設計変数（ｚ１，ｚ２，・・・，ｚN）がどの拘束条件にも該当しない場合、（ｚ１（ｉ＋１），ｚ２（ｉ＋１），・・・，ｚＮ（ｉ＋１））は、Ｎ個の線形方程式：{∂ｆｐ（ｚ１，ｚ２，・・・，ｚN）}／∂ｚｎ＝ε'，（ｎ＝１，２，・・・，Ｎであり、ε'＝０又は０に近い小さい値である）を解くことによって導き出すことができる。例えば、ε'＝−０．１、−０．２、−０．０１、０、０．０１、０．１、０．２、０．４など。
【００９４】
設計変数がＪ不等式（例えば（ｚ１，ｚ２，・・・，ｚN）の調整範囲）ΣＮｎ＝１Ａｎｊｚｎ≦Ｂｊ（ここでｊ＝１，２，・・・，Ｊ）、及びＫ等式（例えば設計変数間の相互依存）ΣＮｎ＝１Ｃｎｋｚｎ≦Ｄｋ（ここでｋ＝１，２，・・・，Ｋ）の拘束下にある場合、最適化プロセスは、二次方程式プログラミング問題となり、Ａｎｊ，Ｂｊ，Ｃｎｋ，Ｄｋは定数である。反復ごとに追加の制約を課してもよい。例えば、数式３の近似が成立するように、（ｚ１（ｉ＋１），ｚ２（ｉ＋１），・・・，ｚＮ（ｉ＋１））と（ｚ１ｉ，ｚ２ｉ，・・・，ｚＮｉ）との差を制限するために、「減衰係数」ΔＤを導入してもよい。そのような制約は次のように表せる：ｚｎｉ−ΔＤ≦ｚｎ≦ｚｎｉ＋ΔＤ。（ｚ１（ｉ＋１），ｚ２（ｉ＋１），・・・，ｚＮ（ｉ＋１））は、例えば、Ｊｏｒｇｅ  ＮｏｃｅｄａｌとＳｔｅｐｈｅｎ  Ｊ.   ＷｒｉｇｈｔによるＮｕｍｅｒｉｃａｌ  Ｏｐｔｉｍｉｚａｔｉｏｎ（第２版：Ｂｅｒｌｉｎ  Ｎｅｗ  Ｙｏｒｋ：Ｖａｎｄｅｎｂｅｒｇｈｅ  Ｃａｍｂｒｉｄｇｅ  Ｕｎｉｖｅｒｓｉｔy  Ｐｒｅｓｓ）に記載された方法で導き出せる。
【００９５】
（ｚ１，ｚ２，・・・，ｚN）のＲＭＳを最小化する代わりに、最適化プロセスは、意図された値に対する特性の最大偏差（最大の欠陥）を最小化できる。このアプローチでは、代替として目的関数は次の数式６のように表すことができる。
【００９６】
【数６】
2019533202.tif 000008
【００９７】
ここでＣＬＰは、ｆｐ（ｚ１，ｚ２，・・・，ｚN）の最大許容値である。この目的関数は、特性の中で最大の欠陥を表す。この目的関数を用いた最適化は最大の欠陥の大きさを最小にする。この最適化のために貪欲な反復アルゴリズムを使用することができる。
【００９８】
数式６は、以下の数式７のように近似できる。
【００９９】
【数７】
2019533202.tif 000009
【０１００】
ここで、ｑは、少なくとも４、又は少なくとも１０のような偶数の正の整数である。数式７は、数式６の様式に似ており、最急降下法、勾配降下法のような方法を使用することによって最適化を分析的に実行し加速を可能にする。
【０１０１】
最大の欠陥サイズを最小化することは、ｆｐ（ｚ１，ｚ２，・・・，ｚN）の線形化と組み合わせることもできる。具体的には、ｆｐ（ｚ１，ｚ２，・・・，ｚN）は、数式４のように近似される。次いで、最大の欠陥サイズに対する制約は不等式：ＥＬｐ≦ｆｐ（ｚ１，ｚ２，・・・，ｚN）≦ＥＵｐとして表せ、ＥＬｐ及びＥＵｐは、ｆｐ（ｚ１，ｚ２，・・・，ｚN）の最小許容偏差と最大許容偏差を指定する２つの定数である。数式４を代入すると、これらの制約は、ｐ＝１，・・，Ｐにおいて以下の数式８及び数式９で表せる。
【０１０２】
【数８】
2019533202.tif 000010
【０１０３】
【数９】
2019533202.tif 000011
【０１０４】
数式４は、（ｚ１，ｚ２，・・・，ｚN）の近傍でのみ有効であり、所望の制約ＥＬｐ≦ｆｐ（ｚ１，ｚ２，・・・，ｚN）≦ＥＵｐを達成できない（これは不等式間のいかなる矛盾によって判断できる）場合、制約ＥＬｐとＥＵｐは、制約が達成可能になるまで緩和できる。この最適化プロセスは、（ｚ１，ｚ２，・・・，ｚN）の近傍における最大欠陥サイズを最小化する。その後、各ステップは最大欠陥サイズを徐々に減らし、各ステップは終了条件が満たされるまで繰り返し実行される。これにより、最大欠陥サイズを最適に減らせる。
【０１０５】
最大欠陥を最小限に抑えるもう１つの方法は、反復修正ごとに重み付けｗｐを調整することである。例えば、ｉ番目の反復修正の後、ｒ番目の特性が最大欠陥である場合、その特性の欠陥サイズの減少がより高い優先順位を与えられるように、（ｉ＋１）番目の反復修正においてｗｒを増加させることができる。
【０１０６】
さらに、数式５及び数式６の目的関数は、以下の数式１０に示すように、ラグランジュ乗数を導入し、欠陥サイズのＲＭＳでの最適化と、最大欠陥サイズの最適化との間の妥協点を達成することで修正できる。
【０１０７】
【数１０】
2019533202.tif 000012
【０１０８】
ここで、λは、欠陥サイズのＲＭＳでの最適化と最大欠陥サイズでの最適化との間の妥協点を指定する事前設定定数である。特に、λ＝０の場合、これは数式５となり、欠陥サイズのＲＭＳは最小化され、λ＝１の場合、これは数式６になり、最大欠陥サイズは最小化されるだけであり、０＜λ＜１の場合、最適化において両方が考慮される。そのような最適化は、複数の方法を使用して解決できる。例えば、各反復修正における重み付けは、前述のものと同様に調整することができる。あるいは、不等式から最大欠陥サイズを最小化するのと同様に、数式８及び数式９の不等式は、二次方程式プログラミング問題の解法中の設計変数の制約と見なすことができる。次に、最大欠陥サイズの限界を徐々に緩和するか、最大欠陥サイズの重み付けを増分的に増加させ、達成可能なすべての最大欠陥サイズの目的関数値を計算し、次のステップの最初のポイントとして合計目的関数を最小にする設計変数値を選択する。これを反復的に行うことによって、この新しい目的関数の最小化を達成できる。
【０１０９】
パターニングプロセスを最適化すると、プロセスウィンドウを拡大できる。より大きなプロセスウィンドウは、プロセス設計（例えば、デバイス設計、処理パラメータ値など）においてより高い柔軟性を提供する。プロセスウィンドウは、例えば、空画像、レジスト画像、又はエッチング像のパラメータ（例えば、ＣＤ、ＳＷＡ、又は任意のプロファイル関連（幾何学的）パラメータ）がパラメータの設計目標の特定の限度内にある一組の焦点及びドーズ値として定義することができる。本明細書で論じられる方法は、露光量及びデフォーカスとは異なる又は追加の基本パラメータ（２つ以上のパラメータ）によって確立することができる、より一般化されたプロセスウィンドウ定義に拡張することができることに留意すべきえある。これらは、限定されないが、ＮＡ、シグマ、収差、偏光、又はレジスト層の光学定数などの光学設定を含み得る。したがって、焦点値及びドーズ値に基づいて定義されたプロセスウィンドウは、本開示における一例としてのみ役立つ。例えば、プロセスウィンドウ（ＰＷ）が異なるパターニングデバイスパターンバイアス（マスクバイアス）を含む場合、最適化は、基板エッジ配置誤差（ＥＰＥ）及び誘導パターニングデバイスパターンエッジバイアス間の比として定義されるマスクエラー増強係数（ＭＥＥＦ）の最小化を含むことができる。
【０１１０】
一実施形態による、例えばドーズ量及び焦点をそのパラメータとして使用してプロセスウィンドウを最大化する方法を以下に説明する。第１のステップでは、プロセスウィンドウ内の既知の条件（ｆ０、ε０）から開始し、ここでｆ０は公称焦点であり、ε０は公称ドーズ量であり、（ｆ０±Δｆ，ε０±ε）近傍の目的関数の１つを最小にする。
【０１１１】
【数１１】
2019533202.tif 000013
【０１１２】
【数１２】
2019533202.tif 000014
【０１１３】
【数１３】
2019533202.tif 000015
【０１１４】
公称焦点ｆ０及び公称ドーズ量ε０をシフトさせることができる場合、それらは設計変数（ｚ１，ｚ２，・・・，ｚN）と共に最適化することができる。次のステップでは、（ｚ１，ｚ２，・・・，ｚN）の値の組が、目的関数が予め設定された限界内にあるように見出せる場合、（ｆ０±Δｆ，ε０±ε）はプロセスウィンドウの一部として受け入れられる。
【０１１５】
焦点及びドーズ量が移動することを許されない場合、設計変数（ｚ１，ｚ２，・・・，ｚN）は、焦点及びドーズ線量を公称焦点ｆ０及び公称線量ε０に固定して最適化される。別の実施形態では、（ｚ１，ｚ２，・・・，ｚN）の値の組が、目的関数が予め設定された限界内にあるように見出せる場合、（ｆ０±Δｆ，ε０±ε）はプロセスウィンドウの一部として受け入れられる。
【０１１６】
本開示において先に記載された方法は、数式１１〜１３のそれぞれの目的関数を最小化し、例えば、１つ又は複数の設計変数の最適化に基づいてプロセスウィンドウ最大化をもたらすために使用できる。上述の最適化方法は、リソグラフィ装置及び／又はエッチング装置のスループットを向上させるために使用することができる。例えば、関数は、リソグラフィ装置におけるパターニング（例えば露光）時間を表すｆｐ（ｚ１，ｚ２，・・・，ｚN）及び／又はエッチング装置のエッチング時間を表すｆｐ（ｚ１，ｚ２，・・・，ｚN）を含んでもよい。一実施形態では、そのような関数の最適化は、帯域幅又は他の測定基準の尺度によって制約又は影響を受ける。
【０１１７】
上述したように、パターニングプロセスの様々な特性を表すパラメータの値は、パターンプロファイルに基づいてそして様々な方法によって計算することができる。図９Ａ〜図９Ｃは、パターンプロファイルに基づいて３つの異なるパラメータを決定する例示的方法を示す。
【０１１８】
図９Ａは、レジスト画像８００に基づいて定在波パラメータを決定する方法の一例を示す。レジスト画像８００は、シミュレーション又は測定により得ることができる。定在波パラメータの値は、レジスト画像８００に基づいて算出することができる。例えば、最大強度を有するレジスト画像８００のピクセル８１０が見つけられる。画素８１０を通るＺ方向に沿ったカットライン８２０がレジスト画像８００上で識別される。定在波パラメータＰｓｗの値は、数式１４のように計算することができる。
【０１１９】
【数１４】
2019533202.tif 000016
【０１２０】
ここで、Ｉｍａｘは、カットライン８２０に沿った全ピクセルの最大強度を表し、Ｉｍｉｎは、カットライン８２０に沿った全ピクセルの最小強度を表す。
【０１２１】
図９Ｂは、レジスト画像８００に基づいてコントラスト変動パラメータを決定する例示的な方法を示す。コントラスト変動パラメータの値は、レジスト画像８００に基づいて算出することができる。例えば、コントラスト値は、レジスト画像８００の画素の各行又は複数の行に対して計算される。具体的には、コントラスト値Ｃｉは、レジスト画像８００の画素のｉ番目の行８３０について、数式１５のように計算される。
【０１２２】
【数１５】
2019533202.tif 000017
【０１２３】
ここで、Ｉｍａｘ，ｉは、ｉ番目のピクセル行８３０の中の強度の最大値を表し、レジスト画像８００内の画素の数Ｉｍｉｎ，ｉは、レジスト画像８００内のｉ番目のピクセル行８３０のうち強度の最小値を表し、レジスト画像８００が（合計で）ｍ列のピクセルを有すると仮定して、ｉ＝１，２，３，・・・，ｍである。
【０１２４】
レジスト画像８００のコントラスト変動パラメータは、数式１６のように計算することができる。
【０１２５】
【数１６】
2019533202.tif 000018
【０１２６】
ここでｍａｘ（Ｃｉ，ｉ＝１，２，・・・，ｍ）は、ｍ列のピクセルのコントラスト値の最大値を表し、ｍｉｎ（Ｃｉ，ｉ＝１，２，・・・，ｍ）は、ｍ列のピクセルのコントラスト値の最小値を表す。
【０１２７】
図９Ｃは、空画像８０５に基づいて側壁角度パラメータを決定する例示的な方法を示す。一実施形態では、空画像８０５はシミュレーション又は測定により得られる。一実施形態では、図９Ｃに示すのと同様のプロセスを適用して、レジスト画像に基づいて側壁角度パラメータを決定することができる。レジスト画像は、空画像８０５とレジストモデルとに基づいてシミュレートすることができる。あるいは、測定によりレジスト画像を得てもよい。図９Ｃに示すように、側壁角度パラメータの値は、空画像８０５に基づいて計算することができる。例えば、垂直線８４５（すなわち、Ｚ方向に沿った線）は、第１の座標で空中像の上端を横切って交差するように決定され、第２の座標（ｘ０、ｚ４）で空画像の下端８６０を横切って交差するように決定される。第３の座標（ｘ０、ｚ０）は、第１の座標と第２の座標のほぼ中間に決定され、ここでｚ０＝（ｚ１＋ｚ４）／２である。したがって、第３の座標（ｘ０、ｚ０）を通る水平線８４８は、空中像８０５を上半分（すなわち線８４８の上）と下半分（すなわち線８４８の下）に分割することができる。次に、側壁と垂直線８４５との間の平均距離が、空中像８０５の上半分及び下半分についてそれぞれ決定される。したがって、第４座標（ｘ２、ｚ２）と垂直線８４５との間の距離と、第５座標（ｘ３、ｚ３）との間の距離とが一致するように、第４座標（ｘ２、ｚ２）及び第５座標（ｘ３、ｚ３）が決定され、垂直線８４５は、空中像８０５の上半分及び空中像８０５の下半分についてそれぞれ決定された平均距離に等しい。一実施形態では、ｚ２及びｚ３の値は任意の値である。次に、第４座標（ｘ２、ｚ２）と第５座標（ｘ３、ｚ３）の両方を通る線８５０が生成される。次に、空画像８０５の側壁角度パラメータの値が、線８５０と空画像８０５の下端８６０との間の角度８４０として決定される。この例における側壁角度パラメータは直角側壁角度を表すことに留意すべきである。側壁角パラメータは左側の側壁角を表すことができ、その値は図９Ｃに示すのと同様の方法を使用して計算することができる。
【０１２８】
図１０を参照すると、パターニングスタック最適化の例示的なプロセスが示されている。 グラフにおいて、横軸７２０は、例えば、屈折率ｎ、減衰係数ｋ、又はパターニングスタックの層（例えば、図７のパターニングスタック６６０）の厚さから選択される設計変数を表す。図１０には１つの設計変数しかないが、上述のように２つ以上の設計変数があってもよい。垂直軸７１０、７１５のそれぞれは、例えば、アライメントパラメータ、レベリングパラメータ、定在波パラメータ、コントラスト変動パラメータ、側壁角度パラメータ、フロントエンドＣＤパラメータ、フーティングパラメータ、レジスト損失パラメータ、非対称性パラメータ、バックエンドＣＤパラメータ、パターン配置パラメータ、及び／又はリソエッチバイアスパラメータから選択されるパラメータを表すことができる。一例として、水平軸７２０は、パターニングスタックのＢＡＲＣ層の厚さを表す。第１の縦軸７１０は、コントラスト変動パラメータ（例えば、無単位正規化値）及び定在波パラメータ（例えば、無単位正規化値）を表す。したがって、ＢＡＲＣ層の厚さの変動の関数として、コントラスト変動パラメータ及び定在波パラメータの値をそれぞれ表すデータ点は、図１０に示すように、それぞれスイング曲線７４０及び７５０で示すように接続される。さらに、第２の垂直軸７１５は、側壁角度パラメータ（例えば、角度（度））を表す。したがって、ＢＡＲＣ層の厚さの変化の関数として側壁角度パラメータの値を表すデータ点は、スイング曲線７３０によって示されるように接続される。図９Ａ〜図９Ｃに関連して説明したように、スイング曲線７４０、７５０、及び７３０の各値は、パターニングプロファイル（すなわち、空画像又はレジスト画像）に基づいて計算することができる。具体的には、スイング曲線７４０によって表されるコントラスト変動パラメータ及びスイング曲線７５０によって表される定在波パラメータは、図９Ａ及び図９Ｂに関して説明したようにレジスト画像７７０に基づいて計算することができる。スイング曲線７３０によって表される側壁角度パラメータは、図９Ｃに関して説明したように、空画像７６０に基づいて計算することができる。
【０１２９】
一実施形態では、各スイング曲線は、ｆｐ（ｚ１）の関数によって当てはめられて表されてもよく、ｚ１は、水平軸７２０によって表される設計パラメータ（例えば、ＢＡＲＣ層の厚さ）である。例えば、コントラスト変動パラメータを表すスイング曲線７４０はフィッティングされてｆ１（ｚ１）で表され、定在波パラメータを表すスイング曲線７５０はフィッティングされてｆ２（ｚ１）で表される。これは、側壁角度パラメータを表すｆ３（ｚ１）を当てはめて表すことができる。
【０１３０】
一実施形態では、関数（例えば、目的関数）は、最適化の目的に応じて１つ又は複数の関数ｆｉ（ｚ１）（ｉ＝１、２、又は３）を含む。一実施形態では、関数は、対応する２つ以上のパラメータについて設計変数ｚ１をまとめて最適化するための２つ以上の関数ｆｉ（ｚ１）を含む。一実施形態では、関数は、コントラストバリエーションパラメータ、定在波パラメータ、又は側壁角度パラメータのいずれかについて設計変数ｚ１を最適化するために、関数ｆｉ（ｚ１）、ｆ２（ｚ１）、及びｆ３（ｚ１）のうちの１つのみを含む。上述したような標準的な最適化方法を関数に適用して、関数が、例えば局所的最大値を有する値（極大値又は極小値）又は所与の値のセットの局所的最大値の周辺範囲内の値を有するような設計関数ｚ１の値のセットを見つける。例えば、避けられない系統エラーのために、設計変数の値が公称値からわずかにずれているときに関数の値があまり変化しないように、範囲が使用され、したがって、関数内に表されている１つ又は複数のパラメータに関するロバストプロセスを得ることができる。一実施形態では、設計変数ｚ１の値の組は、以下の数式１７及び数式１８を解くことによって決定することができる。
【０１３１】
【数１７】
2019533202.tif 000019
【０１３２】
【数１８】
2019533202.tif 000020
【０１３３】
ここで、ＣＦ（ｚ１）は目的関数を表し、ε'はゼロから外れたプリセット値である。
【０１３４】
例えば、関数は定在波パラメータを表すｆ２（ｚ１）のみを含み得る。したがって、図１０を考慮して、設計変数ｚ１の最適値は、Ｔ１、Ｔ２、Ｔ３、及びＴ４であり得るか、又はＴ１、Ｔ２、Ｔ３、及びＴ４の周りの小さな範囲の値であり得、これにより、定常波パラメータに関してロバストプロセスが得られる。しかし、Ｔｉにおける設計変数の値に従った空画像７６５は、予め設定された規則を満たさない可能性がある。例えば、空画像７６５は、著しいレジスト損失を示す。その結果、の値が破棄されることがある。値Ｔ２、Ｔ３、及びＴ４、又はＴ２、Ｔ３、Ｔ４の周りの小さい範囲の値は、設計変数ｚ１のための出力された値の組に含まれ得る。実際には、設計変数ｚ１が層の厚さを表す場合、それは定常波の局所的最小値を提供するので、ユーザは、パターニングスタック内の設計変数（例えば、ＢＡＲＣ層の厚さ）に対してＴ３又はＴ３付近の小さな範囲内の数を選択し得る。しかし、図１０に見られるように、Ｔ３は、コントラストの変動に対する局所的な最小値又は最大値を表すものではなく、９０度の側壁角を提供しない。したがって、一実施形態では、関数は、設計変数ｚ１の最適値（例えば、パターニングスタック層の厚さ）に到達するための１つ又は複数の他のパラメータ（例えば、コントラスト変動及び／又は側壁角度）を含む。
【０１３５】
上述したように、パターンスタック最適化にはただ１つの設計変数があり得る。したがって、設計変数の異なる値に応じた複数の空画像７６０又はレジスト画像７７０が、例えば目的関数で表される１つ又は複数のパラメータの値を決定するために最適化プロセスにおいて得られる。他のいくつかの例では、パターニングスタック最適化において２つ以上の設計変数があり得る。したがって、１つ又は複数の設計変数の異なる値に従って複数の空画像又はレジスト画像を決定することができる。例えば、１つ又は他の設計変数は、パターニングスタック内の異なるタイプ及び／又は異なる層に対するものであり得る。
【０１３６】
図１１は、２つの設計変数による複数のレジスト画像の一例を示す。図１１に示すように、横軸９１０は第１の設計変数を表し、縦軸９２０は第２の設計変数を表す。第１の設計変数及び第２の設計変数はそれぞれ、例えば、屈折率ｎ、減衰係数ｋ、及び／又はパターニングスタックの層（例えば、図７のパターニングスタック６６０）の厚さから選択することができる。例えば、水平軸９１０はＢＡＲＣ層（例えばＢＡＲＣ層６３０）の厚さを表し、垂直軸９２０はレジスト層（例えばレジスト層６４０）の厚さを表す。したがって、シミュレーション又は測定により、ＢＡＲＣ層とレジスト層の厚さが異なる複数のレジスト画像が得られる。図示のように、複数のレジスト画像は二次元アレイに配置されている。レジスト画像の各列（すなわち、Ｃ１〜Ｃ５のそれぞれ）は、同じ値の第１の設計変数（たとえば、ＢＡＲＣ層の厚さ）及び各行（すなわち、Ｒ１〜Ｒ５のそれぞれ）に対応する。レジスト画像は、第２の設計変数（例えば、レジスト層の厚さ）の同じ値に対応する。図示されていないが、複数の空画像を代わりに又は追加的に使用することができる。上述のように、パターニングプロファイルに関連し、最適化のための関数で表される各パラメータの値は、各空画像又はレジスト画像に基づいて計算することができる。上述のような標準的な最適化技術を使用して、２つの設計変数（例えば、ＢＡＲＣ層の厚さ及びレジスト層の厚さ）を最適化し、そして最後に出力することができる。
【０１３７】
したがって、一実施形態では、パターニングスタックを最適化するときに（例えば、レジスト内に）結果として得られるパターンプロファイルが考慮される。一実施形態では、プロセスのロバスト性とパターンプロファイルとの間に共最適化がある。そうするために、一実施形態では、関連するプロセス条件（例えば、適用可能な照射、適用可能なパターン、適用可能な初期パターニングスタック設計変数（例えば、材料の種類と出発厚さ、など））を与えてパターンプロファイル（例えばレジストパターンプロファイル）を決定する。一実施形態では、レジストパターンを（パターンプロファイルの形態として）記述する１つ又は複数のパラメータは、レジスト内で生成された定常波から決定され、定在波はパターニングスタックの光学特性及び照射設定、並びに露光照射の波長から生じる。しかし、一実施形態では、パターンプロファイルを説明する１つ又は複数のパラメータは、露光後ベーク、現像などのプロファイルへの影響など、より多くの要因を捕捉する、より正確なモデル（例えば、Hyperlithソフトウェアなどの物理モデル）を使用して決定できる。最適化を可能にするために、スタックの１つ又は複数の調整可能な設計変数に対するパターンプロファイルの感度が一般に見出される。一実施形態では、１つ又は複数の設計変数の値（例えば、ＢＡＲＣ層、レジスト層及び／又はトップコート層の厚さ、層の材料の種類、層の屈折率、層の吸光係数、層の減衰係数、レジスト全高を通した光活性化合物又は消光剤濃度（例えば、フーチング問題のためにＢＡＲＣ層に酸又は塩基を添加することによる）など））が変化し、パターンプロフィールに付属する１つ又は複数のパラメータ（例えば、定在波、コントラスト変動、側壁角度、ＣＤなど）が得られる。一実施形態では、１つ又は複数のパラメータの値は、実験的に検証することができるシミュレーション（たとえば、空画像シミュレーション）によって取得される。
【０１３８】
そして、そのため、一実施形態では、１つ又は複数の設計変数を変えることによって、パターンプロファイルに関する１つ又は複数のパラメータの最適な１つ又は複数の値が得られる。最適な１つ又は複数のパラメータは、重み付けを適用することができるパラメータの組み合わせとすることができる。最適化の結果は、公称パターニング条件に対する最適なレジストプロファイルとなり得る。 様々な最適化基準がある。例えば、パターンプロファイルの変動は、変動するリソグラフィエッチングバイアスを生じさせるであろう。従って、ピッチ／フィーチャのある範囲の幅に対して実質的に同じリソエッチバイアスを有することが望ましいかもしれない。一実施形態では、最適化基準は、最小のトップラウンディング、最小のフーチング、及び／又は９０°又はそれに近い側壁角（ＳＷＡ）から選択される１つ又は複数を含むことができる。
【０１３９】
一実施形態では、本方法は、測定センサ性能（例えば、位置合わせ、レベリング）、計測影響（例えば、ＣＤ、オーバーレイ、ドーズなど）、イメージングＣＤ、パターンプロファイル、パターン配置、パターンシフト内のエッチング近接効果、リソグラフィエッチングバイアス、エッチングパラメータ（例えばエッチング選択性、エッチング速度など）、レジスト現像パラメータ及び／又は露光後ベークパラメータから選択される１つ以上（望ましくは２つ以上から選択される）を考慮に入れたパターニングスタックのモデルベース最適化を提供する。電気的又は装置機能性能要件を最適化に含めることができる。しかし、一実施形態では、それらは除外され、それらの要件が材料の種類を決定する一方で、最適化は他のパラメータ（例えば、厚さ、屈折率など）に対処する。
【０１４０】
したがって、一実施形態では、パターニングスタック用に選択された（例えば、デバイス機能の理由から選択された（例えば、電気的特性）及び／又はエッチング要件用に選択された（例えば、エッチング選択性、エッチング速度））材料を入力として使用する最適化ツールセットが提供される。特定されたスタック材料を用いて、１つ以上のパターニングスタック変数を変えることができ、パターニングスタック変数は、パターニングスタックの１つ以上の層の物理的特性を表す。例えば、パターニングスタック変数は、層の厚さ又は複数の層であり得る。さらに、パターニングスタックの複数の層の各層に対して１つなど、複数のパターニングスタック変数が存在し得る。さらに、異なる種類のパターニングスタック変数（例えば、屈折率及び厚さ）があり得る。次いで、１つ又は複数のパターニングスタック変数が変更される（例えば、それぞれが異なる層の厚さを表す複数のパターニングスタック変数がある場合、次に層の厚さを変更する）。一実施形態では、変動はモンテカルロ方式で実行することができる。１つ又は複数の様々なパターニングスタック変数のそれぞれについて、以下から選択される１つ又は複数のパラメータは、適切なモデル及び／又は測定値を使用することによって決定することができる：センサの性能への影響をあらわすパラメータ（レベルセンサ、アライメントセンサ、オーバーレイ、ドーズ）、ＣＤ計測装置、レジストＣＤへの影響を表すパラメータ、パターンプロファイル、ならびに／又はパターン配置、レジストのパターン、及びプロファイルに影響を表すパラメータ、ならびに／又はエッチングパターンに影響を表すパラメータ。次に、上記を使用して、１つ又は複数のパターニングスタック変数の最適値を決定することができる。例えば、１つ以上のパターニングスタック変数及び１つ以上のパラメータの決定された値に、キーパフォーマンスインジケータを識別又は割り当てることができ、次に１つ以上のパターニングの値を最適とみなされる観点でキーパフォーマンスインジケータをランク付けすることができる（例えば、最適パターン配置、エッチング後の最適パターンＣＤ、及び／又はパターニングスタック変動に対するロバストネス）。
【０１４１】
したがって、一実施形態では、１つ又は複数の設計変数の適切な値を選択しレジスト内のパターンプロファイルを制御することによって、たとえば結像用のスタックを単に構成するのではなくパターニングを最適化することができる。さらに、１つ又は複数の設計変数の適切な値に達するこのプロセスは、エッチング後のクリティカルディメンジョン均一性の最適化を提供することができる。したがって、このプロセスは、根元のパターンプロファイルに関連する問題に取り組むことを可能にすることができる。
【０１４２】
一実施形態では、本明細書の手法は、パターニング統合のタスクを支援する。一実施形態では、本手法は、満足のいくパターニングスタックを達成するための総時間を短縮するのに役立つ。一実施形態では、これらの手法は、よりモデルベースの手法を使用することによって（これはコストを削減するのに役立ち得る）、伴う膨大な量の実験作業を削減するのに役立つ。一実施形態では、本手法は、適切なスタックを構成するさらなる態様を考慮に入れ、例えば、スタックの計測への影響は考慮されておらず、又はパターニングスタックの初期設計において考慮に入れられない。一実施形態では、これらの手法は、適切なパターニングスタックに到達するプロセスをより定量的にするので、より最適な終点に到達することが可能になるはずである。
【０１４３】
一実施形態では、基板上のパターニングスタックに転写されたパターンに関する物理的特性を表すパラメータがパターニングの変化によってどのように影響されるかを測定する関数を定義することを含むパターニングスタックの最適化方法が提供される。スタック変数、パターニングスタック変数は、パターニングスタックの材料層の物理的特性を表す。ハードウェアコンピュータシステムによって、パターニングスタック変数を変更し、終了条件が満たされるまで、ハードウェアコンピュータシステムによって、変更されたパターニングスタック変数に関する関数を評価する。終了条件が満たされると、パターニングスタック変数の値を出力する。
【０１４４】
一実施形態では、パターニングスタック変数は、パターニングスタックの層の屈折率、パターニングスタックの層の吸光係数、及び／又はパターニングスタックの層の厚さから選択される１つ又は複数である。一実施形態では、パラメータは、計測プロセスの物理的特性、リソグラフィプロセスの物理的特性、及び／又はエッチングプロセスの物理的特性から選択される１つ又は複数を表す。一実施形態では、パラメータは、アライメントパラメータ、レベリングパラメータ、計測パラメータ、定在波パラメータ、コントラスト変動パラメータ、側壁角度パラメータ、フロントエンドクリティカルディメンジョンパラメータ、フーティングパラメータ、レジスト損失パラメータ、非対称パラメータ、バックエンドクリティカルディメンジョンパラメータ、パターン配置パラメータ、トップラウンディングパラメータ、及び／又はリソグラフィエッチバイアスパラメータから選択される１つ又は複数である。一実施形態では、関数は、基板上のパターニングスタックに転写されたパターンに関する物理的特性をそれぞれ表す複数のパラメータがパターニングスタック変数の変化によってどのように影響を受けるかを測定する。一実施形態では、複数のパラメータは計測プロセスの物理的特性を含む。一実施形態では、変動するパターニングスタック変数に関する関数を評価することは、変動するパターニングスタック変数に基づいてパラメータの値を決定するためにコンピュータシミュレーションを実行することを含む。一実施形態では、パラメータはエッチングプロセスの物理的特性を含み、コンピュータシミュレーションはエッチングモデルを使用する。一実施形態では、パラメータは計測プロセスの物理的特性を含み、コンピュータシミュレーションは計測モデルを使用する。一実施形態では、パラメータはリソグラフィプロセスの物理的特性を含み、コンピュータシミュレーションはレジストモデルを使用する。一実施形態では、変化したパターニングスタック変数に関する関数を評価することは、測定又はシミュレーションによって得られたパターンプロファイルに基づいてパラメータの値を決定することを含む。一実施形態では、パターンプロファイルはレジスト画像又はエッチング画像のいずれかである。一実施形態では、変動するパターニングスタック変数に関して関数を評価することは、測定又はシミュレーションによって測定プロセスの物理的特性を表すパラメータの値を決定することを含む。一実施形態では、関数は目的関数であり、その関数が局所極値又は局所極値の周りのプリセット範囲内にあるパラメータの値を有するようにパターニングスタック変数の値を取得することを含む関数を評価することである。
【０１４５】
一実施形態では、ハードウェアコンピュータシステムによって、終了条件が満たされるまで、パターニングスタック変数を最適化することを含む方法が提供され、パターニングスタック変数は、基板上のパターニングスタックの材料層の物理的特性を表し、複数のパラメータのそれぞれは、基板上のパターニングスタックに転写されるパターンに関する物理的特性を表し、終了条件が満たされると、パターニングスタック変数の値を出力する。
【０１４６】
一実施形態では、パターニングスタック変数は、パターニングスタックの層の屈折率、パターニングスタックの層の吸光係数、及び／又はパターニングスタックの層の厚さから選択される１つ又は複数である。一実施形態では、パラメータの少なくとも１つは、計測プロセスの物理的特性、リソグラフィプロセスの物理的特性、及び／又はエッチングプロセスの物理的特性から選択される１つ又は複数を表す。一実施形態では、パラメータは、位置合わせパラメータ、レベリングパラメータ、計測パラメータ、定在波パラメータ、コントラスト変動パラメータ、側壁角度パラメータ、フロントエンドクリティカルディメンジョンパラメータ、フーティングパラメータ、レジスト損失パラメータ、非対称パラメータ、バックエンドクリティカルディメンジョンパラメータ、パターン配置パラメータ、トップラウンディングパラメータ、及び／又はリソグラフィエッチバイアスパラメータから選択される１つ又は複数を含む。一実施形態では、パラメータは少なくとも計測プロセスの物理的特性を表すパラメータを含む。一実施形態では、最適化することは、パターニングスタック変数に基づいてパラメータの値を決定するためにコンピュータシミュレーションを実行することを含む。一実施形態では、パラメータの少なくとも１つはエッチングプロセスの物理的特性を表し、コンピュータシミュレーションはエッチングモデルを使用する。一実施形態では、パラメータの少なくとも１つは計測プロセスの物理的特性を表し、コンピュータシミュレーションは計測モデルを使用する。一実施形態では、パラメータの少なくとも１つがリソグラフィプロセスの物理的特性を表し、コンピュータシミュレーションはレジストモデルを使用する。一実施形態では、最適化することは、測定又はシミュレーションによって得られたパターンプロファイルに基づいて少なくとも１つのパラメータの値を決定することを含む。一実施形態では、パターンプロファイルはレジスト画像又はエッチング画像のいずれかである。一実施形態では、最適化することは、測定又はシミュレーションによって測定プロセスの物理的特性を表すパラメータのうちの少なくとも１つに対する値を決定することを含む。一実施形態では、最適化は、局所極値で、又は局所極値の周りの事前設定範囲内でパラメータの値を有するようにパターニングスタック変数の値を取得するために目的関数を評価することを含む。一実施形態では、方法は、複数のパターニングスタック変数について複数のパラメータを最適化することをさらに含む。一実施形態では、複数のパターニングスタック変数は、パターニングスタックの異なる層それぞれに対するパターニングスタック変数を含む。
【０１４７】
図１２は、本明細書に開示されている方法及びフローを実施するのを助けることができるコンピュータシステム１００を示すブロック図である。コンピュータシステム１００は、リソグラフィ装置に組み込まれてもよく、計測装置に組み込まれてもよく、独立型システムであってもよく、あるいはリソグラフィ装置又は計測装置に接続された別個のシステムであってもよい。一実施形態では、コンピュータシステム１００は、情報を通信するためのバス１０２又は他の通信機構と、情報を処理するためにバス１０２と結合されたプロセッサ１０４（又は複数のプロセッサ１０４及び１０５）とを含む。一実施形態では、コンピュータシステム１００は、プロセッサ１０２によって実行される情報及び命令を格納するためにバス１０２に結合された、ランダムアクセスメモリ（ＲＡＭ）又は他の動的記憶装置などのメインメモリ１０６を含む。メインメモリ１０６はまた、プロセッサ１０４によって実行される命令の実行中に一時変数又は他の中間情報を格納するために使用され得る。一実施形態では、コンピュータシステム１００は、静的情報及びプロセッサ１０４用の命令を格納するためにバス１０２に結合された読み取り専用メモリ（ＲＯＭ）１０８又は他の静的記憶装置を含む。磁気ディスク又は光ディスクなどの記憶装置１１０が提供され、情報及び命令を記憶するためにバス１０２に結合される。
【０１４８】
コンピュータシステム１００は、コンピュータユーザに情報を表示するために、バス１０２を介して陰極線管（ＣＲＴ）又はフラットパネル又はタッチパネルディスプレイなどのディスプレイ１１２に結合することができる。英数字及び他のキーを含む入力装置１１４は、情報及びコマンド選択をプロセッサ１０４に通信するためにバス１０２に結合されている。別のタイプのユーザ入力装置は、マウス、トラックボール、又は方向情報及びコマンド選択をプロセッサ１０４に通信し、ディスプレイ１１２上のカーソル移動を制御するためのカーソル方向キーなどのカーソル制御部１１６である。タッチパネル（スクリーン）ディスプレイも入力装置として使用することができる。
【０１４９】
一実施形態によれば、本明細書に記載の方法及び／又はフローの一部は、メインメモリ１０６に含まれる１つ又は複数の命令の１つ又は複数のシーケンスを実行するプロセッサ１０４に応答してコンピュータシステム１００によって実行され得る。そのような命令は、記憶装置１１０などの他のコンピュータ可読媒体からメインメモリ１０６に読み込まれてもよい。メインメモリ１０６に含まれる一連の命令を実行することにより、プロセッサ１０４は本明細書に記載のプロセスステップを実行する。多重処理構成における１つ又は複数のプロセッサもまた、メインメモリ１０６に含まれる命令のシーケンスを実行するために採用され得る。代替実施形態では、ソフトウェア命令の代わりに、又はそれと組み合わせて、ハードワイヤード回路を使用することができる。したがって、本明細書における説明は、ハードウェア回路とソフトウェアとの特定の組み合わせに限定されない。
【０１５０】
本明細書で使用される「コンピュータ可読媒体」という用語は、実行のためにプロセッサ１０４に命令を提供することに関与する任意の媒体を指す。そのような媒体は、不揮発性媒体、揮発性媒体、及び伝送媒体を含むがこれらに限定されない多くの形態を取り得る。不揮発性媒体は、例えば、記憶装置１１０のような光ディスク又は磁気ディスクを含む。揮発性媒体は、メインメモリ１０６などの動的メモリを含む。伝送媒体は、バス１０２を構成するワイヤを含む、同軸ケーブル、銅線、及び光ファイバを含む。伝送媒体はまた、無線周波数（ＲＦ）及び赤外線（ＩＲ）データ通信中に生成されるものなどの音波又は光波の形態をとることもできる。コンピュータ可読媒体の一般的な形態には、例えば、フロッピー（登録商標）ディスク、フレキシブルディスク、ハードディスク、磁気テープ、他の任意の磁気媒体、ＣＤ−ＲＯＭ、ＤＶＤ、他の任意の光学媒体、パンチカード、紙テープ、穴のパターンを有する他の物理的媒体、ＲＡＭ、ＰＲＯＭ、及びＥＰＲＯＭ、ＦＬＡＳＨ−ＥＰＲＯＭ、他の任意のメモリチップ又はカートリッジ、後述の搬送波、又はコンピュータが読み取ることができる他の任意の媒体が含まれる。
【０１５１】
実行のために１つ又は複数の命令の１つ又は複数のシーケンスをプロセッサ１０４に搬送することには、様々な形態のコンピュータ可読媒体を含めることができる。例えば、命令は最初にリモートコンピュータの磁気ディスクに載せられてもよい。リモートコンピュータはその命令をその動的メモリにロードし、モデムを使用して電話線を介して命令を送信することができる。コンピュータシステム１００にローカルなモデムは電話線上でデータを受信し、赤外線送信機を使用してデータを赤外線信号に変換することができる。バス１０２に結合された赤外線検出器は、赤外線信号で運ばれたデータを受信し、そのデータをバス１０２に置くことができる。バス１０２はデータをメインメモリ１０６に運び、メインメモリ１０６からプロセッサ１０４は命令を取り出して実行する。メインメモリ１０６によって受信された命令は、プロセッサ１０４による実行の前又は後に、記憶装置１１０に任意に記憶されてもよい。
【０１５２】
コンピュータシステム１００はまた、バス１０２に結合された通信インターフェース１１８を含み得る。通信インターフェース１１８は、ローカルネットワーク１２２に接続されているネットワークリンク１２０への双方向データ通信接続を提供する。例えば、通信インターフェース１１８は、対応するタイプの電話線へのデータ通信接続を提供するための統合サービスデジタルネットワーク（ＩＳＤＮ）カード又はモデムであり得る。別の例として、通信インターフェース１１８は、互換性のあるＬＡＮへのデータ通信接続を提供するためのローカルエリアネットワーク（ＬＡＮ）カードであり得る。無線リンクも実施することができる。任意のそのような実施形態において、通信インターフェース１１８は、様々な種類の情報を表すデジタルデータストリームを搬送する電気信号、電磁気信号、又は光信号を送受信する。
【０１５３】
ネットワークリンク１２０は通常、１つ又は複数のネットワークを介して他のデータ装置へのデータ通信を提供する。例えば、ネットワークリンク１２０は、ローカルネットワーク１２２を介してホストコンピュータ１２４又はインターネットサービスプロバイダ（ＩＳＰ）１２６によって運営されるデータ機器への接続を提供することができる。ＩＳＰ１２６は、今度は一般に「インターネット」１２８と呼ばれる、世界規模のパケットデータ通信ネットワークを介してデータ通信サービスを提供する。ローカルネットワーク１２２及びインターネット１２８は両方とも、デジタルデータストリームを搬送する電気信号、電磁気信号、又は光信号を使用する。コンピュータシステム１００との間でデジタルデータをやりとりする、様々なネットワークを通る信号及びネットワークリンク１２０上の通信インターフェース１１８を通る信号は、情報を運ぶ搬送波の例示的な形態である。
【０１５４】
コンピュータシステム１００は、ネットワーク、ネットワークリンク１２０、及び通信インターフェース１１８を介して、メッセージを送信し、プログラムコードを含むデータを受信することができる。インターネットの例では、サーバ１３０は、インターネット１２８、ＩＳＰ１２６、ローカルネットワーク１２２、及び通信インターフェース１１８を介してアプリケーションプログラムのための要求されたコードを送信することができる。受信されたコードは、受信されたときにプロセッサ１０４によって実行されてもよく、及び／又は後で実行するために記憶装置１１０又は他の不揮発性記憶装置に格納されてもよい。このようにして、コンピュータシステム１００は搬送波の形でアプリケーションコードを取得することができる。
【０１５５】
別の例示的なリソグラフィ投影装置を概略的に示す図である。リソグラフィ投影装置１０００は、ソースコレクタモジュールＳＯ、放射ビームＢを調整するように構成された照射システム（イルミネータ）ＩＬ（例えば、ＥＵＶ放射線）、パターニングデバイス（例えばマスク又はレチクル）ＭＡを支持するように構成され、パターニングデバイスを正確に位置決めするように構成された第１ポジショナＰＭに接続されたサポート構造（例えばパターニングデバイステーブル）ＭＴ、基板（例えばレジスト被覆ウェーハ）Ｗを保持するように構成され且つ基板を正確に位置決めするように構成された第２ポジショナＰＷに接続された基板テーブル（例えばウエハテーブル）ＷＴ、及びパターニングデバイスＭＡによって放射ビームＢに与えられたパターンを基板Ｗのターゲット部分Ｃ（例えば１つ又は複数のダイを含む）上に投影するように構成される投影システム（例えば反射投影システム）ＰＳを含む。
【０１５６】
本明細書に示されているように、装置１０００は反射型のもの（例えば反射型パターニングデバイスを採用しているもの）である。大部分の材料はＥＵＶ波長範囲内で吸収性であるので、パターニングデバイスは、例えばモリブデンとシリコンのマルチスタックを含む多層反射体を有することができることに留意すべきである。一例では、マルチスタック反射器は、各層の厚さが４分の１波長である４０層対のモリブデンとシリコンを有する。Ｘ線リソグラフィを用いてさらに短い波長を生成することができる。大部分の材料はＥＵＶ及びＸ線波長で吸収性であるので、パターニングデバイストポグラフィ上の薄い一片のパターニングされた吸収材料（例えば、多層反射体の上のＴａＮ吸収体）は、フィーチャが印刷される（ポジ型レジスト）、又は印刷しない（ネガ型レジスト）場所を定義する。
【０１５７】
図１３を参照すると、イルミネータＩＬは、放射源コレクタモジュールＳＯから極端紫外線放射ビームを受け取る。ＥＵＶ放射を生成するための方法は、ＥＵＶ範囲内の１つ又は複数の輝線を有する、少なくとも１つの元素、例えばキセノン、リチウム又はスズを有するプラズマ状態に材料を変換することを含むが必ずしもそれに限定されない。しばしばレーザ生成プラズマ（「ＬＰＰ」）と呼ばれるこのような方法の１つでは、プラズマは、線放射要素を有する材料の液滴、流れ又はクラスタなどの燃料にレーザビームを照射することによって生成することができる。放射源コレクタモジュールＳＯは、燃料を励起するレーザビームを供給するための、図１３には示されていないレーザを含むＥＵＶ放射システムの一部とすることができる。結果として生じるプラズマは、放射源コレクタモジュール内に配置された放射コレクタを使用して収集される出力放射、例えばＥＵＶ放射を放出する。例えば、ＣＯ２レーザが燃料励起のためのレーザビームを供給するために使用される場合、レーザと放射源コレクタモジュールは別々の構成要素であってもよい。
【０１５８】
そのような場合、レーザはリソグラフィ投影装置の一部を形成するとは考えられず、放射ビームは、例えば適切な誘導ミラー及び／又はビームエキスパンダを含むビーム送出システムを用いてレーザから放射源コレクタモジュールに送られる。他の場合では、例えば放射源がしばしばＤＰＰ放射源と呼ばれる放電生成プラズマＥＵＶ発生器であるとき、放射源は放射源コレクタモジュールの一体部分とすることができる。
【０１５９】
イルミネータＩＬは放射ビームの角強度分布を調整するためのアジャスタを備えることができる。一般に、イルミネータの瞳面内の強度分布の少なくとも外側及び／又は内側半径範囲（一般にそれぞれσ−ｏｕｔｅｒ及びσ―ｉｎｎｅｒと呼ばれる）を調整することができる。さらに、イルミネータＩＬは、ファセットフィールドデバイス及び瞳孔ミラーデバイスなどの様々な他の構成要素を含み得る。イルミネータを使用して放射ビームを調整し、その断面に所望の均一性及び強度分布を持たせることができる。
【０１６０】
放射ビームＢは、サポート構造（例えば、パターニングデバイステーブル）ＭＴ上に保持されているパターニングデバイス（例えば、マスク）ＭＡに入射し、パターニングデバイスによってパターニングされる。パターニングデバイス（例えばマスク）ＭＡから反射された後、放射ビームＢは投影システムＰＳを通過し、投影システムＰＳはビームを基板Ｗのターゲット部分Ｃに集束させる。第２ポジショナＰＷ及び位置センサＰＳ２を用いて（例えば干渉計デバイス、リニアエンコーダ又は容量センサ）、基板テーブルＷＴは正確に移動することができる。同様に、第１ポジショナＰＭ及び別の位置センサＰＳ１を使用して放射の経路に対してパターニングデバイス（例えばマスク）ＭＡを正確に位置決めすることができる。パターニングデバイス（例えばマスク）ＭＡ及び基板Ｗは、パターニングデバイスアライメントマークＭ１、Ｍ２及び基板アライメントマークＰ１、Ｐ２を使用して位置合わせすることができる。
【０１６１】
図示の装置１０００は、以下のモードのうちの少なくとも１つで使用することができる。
【０１６２】
１．ステップモードでは、サポート構造（例えばパターニングデバイステーブル）ＭＴ及び基板テーブルＷＴは本質的に静止状態に保たれる一方、放射ビームに付けられたパターン全体が一度にターゲット部分Ｃに投影される（すなわち単一静的露光）。その後、基板テーブルＷＴは、異なるターゲット部分Ｃを露光することができるようにＸ方向及び／又はＹ方向にシフトされる。
【０１６３】
２．スキャンモードでは、サポート構造（例えばパターニングデバイステーブル）ＭＴ及び基板テーブルＷＴは同期的にスキャンされる一方、放射ビームに付けられたパターンがターゲット部分Ｃに投影される（すなわち単一動的露光）。サポート構造（例えば、パターニングデバイステーブル）ＭＴに対する基板テーブルＷＴの速度及び方向は、投影システムＰＳの倍率（縮小率）及び画像反転特性によって決定することができる。
【０１６４】
３．別のモードでは、サポート構造（例えばパターニングデバイステーブル）ＭＴはプログラム可能なパターニングデバイスを保持して実質的に静止したままにされ、放射ビームに与えられたパターンがターゲット部分Ｃに投影される間、基板テーブルＷＴは移動又はスキャンされる。このモードでは、一般にパルス放射源が使用され、プログラム可能なパターニングデバイスは、基板テーブルＷＴの各移動後又はスキャン中の連続放射パルス間で必要に応じて更新される。この動作モードは、上述したようなタイプのプログラマブルミラーアレイなどのプログラマブルパターニングデバイスを利用するマスクレスリソグラフィに容易に適用することができる。
【０１６５】
図１４は、放射源コレクタモジュールＳＯ、照射システムＩＬ、及び投影システムＰＳを含む装置１０００をより詳細に示す。放射源コレクタモジュールＳＯは、真空環境が放射源コレクタモジュールＳＯの封入構造２２０内に維持されるように構成及び配置されている。ＥＵＶ放射放出プラズマ２１０は、放電生成プラズマ源によって形成することができる。ＥＵＶ放射は、ガス又は蒸気、例えばＸｅガス、Ｌｉ蒸気もしくはＳｎ蒸気によって生成されてもよく、その中で非常に高温のプラズマ２１０が生成されて電磁スペクトルのＥＵＶ範囲の放射を放出する。非常に高温のプラズマ２１０は、例えば、少なくとも部分的にイオン化されたプラズマを引き起こす放電によって生成される。例えば、１０ＰａのＸｅ、Ｌｉ、Ｓｎ蒸気又は他の任意の適切なガスもしくは蒸気の分圧が、放射を効率的に発生させるために必要とされ得る。一実施形態では、励起スズ（Ｓｎ）のプラズマがＥＵＶ放射を生成するために提供される。
【０１６６】
高温プラズマ２１０によって放出された放射は、ソースチャンバ２１１に配置され、又はソースチャンバ２１１の後ろに配置された任意のガスバリア又は汚染物質トラップ２３０（場合によっては汚染物質バリア又はフォイルトラップとも呼ばれる）を介してソースチャンバ２１１からコレクタチャンバ２１２へと通過する。汚染物質トラップ２３０はチャネル構造を含んでもよい。汚染物質トラップ２３０はまた、ガスバリア、又はガスバリアとチャネル構造との組み合わせを含んでもよい。本明細書でさらに示される汚染物質トラップ又は汚染物質バリア２３０は、当技術分野で知られているように、少なくともチャネル構造を含む。
【０１６７】
コレクタチャンバ２１１は、いわゆる斜入射形コレクタであり得る放射コレクタＣＯを含み得る。放射コレクタＣＯは、上流放射コレクタ側２５１と下流放射コレクタ側２５２とを有する。コレクタＣＯを横切る放射は、一点鎖線で示される光軸に沿って仮想放射原点ＩＦに集束されるように格子スペクトルフィルタ２４０で反射され得る。仮想放射原点ＩＦは一般に中間焦点と呼ばれ、放射源コレクタモジュールは中間焦点ＩＦが囲い構造２２０の開口部２２１又はその近くに配置されるように配置される。仮想線原点ＩＦは放射放出プラズマ２１０の画像である。
【０１６８】
続いて、放射は、パターニングデバイスＭＡにおいて放射ビーム２１の所望の角度分布及び所望の均一性を提供し、パターニングデバイスＭＡにおける放射強度を測定するように配置されたファセットフィールドミラーデバイス２２及びファセット瞳孔ミラーデバイス２４を含み得る照射システムＩＬを横切る。サポート構造体ＭＴによって保持されているパターニングデバイスＭＡで放射ビーム２１を反射すると、パターン付きビーム２６が形成され、パターン付きビーム２６は反射システム２８、３０を介して投影システムＰＳによって、基板テーブルＷＴで保持されている基板Ｗ上に結像される。
【０１６９】
示されているよりも多くの要素が一般に照射光学ユニットＩＬ及び投影システムＰＳ内に存在してもよい。リソグラフィ投影装置の種類に応じて、格子スペクトルフィルタ２４０が任意に存在してもよい。さらに、図に示されているものよりも多くのミラーが存在していてもよく、例えば、投影システムＰＳには、図１４に示されているよりも１〜６個の追加の反射要素が存在してもよい。
【０１７０】
図１４に示されるように、集光光学系ＣＯは、まさに集光器（又は集光ミラー）の一例として、斜入射反射器２５３、２５４及び２５５を有する入れ子式集光器として描かれている。斜入射反射器２５３、２５４、及び２５５は、光軸Ｏの周りに軸対称に配置され、このタイプの集光光学系ＣＯは、しばしばＤＰＰ源と呼ばれる放電生成プラズマ源と組み合わせて使用することができる。
【０１７１】
あるいは、放射源コレクタモジュールＳＯは、図１５に示されるようにＬＰＰ放射システムの一部であってもよい。レーザＬＡは、キセノン（Ｘｅ）、スズ（Ｓｎ）又はリチウム（Ｌｉ）などの燃料にレーザエネルギーを堆積させるように構成され、数１０ｅＶの電子温度を有する高電離プラズマ２１０を生成する。これらのイオンの脱励起及び再結合の間に生成されたエネルギー放射は、プラズマから放出され、近垂直入射コレクタ光学系ＣＯによって収集され、そして封入構造２２０の開口部２２１上に集束される。
【０１７２】
本明細書に開示される概念は、サブ波長の特徴を画像化するための任意の一般的な画像化システムと共に使用され得、そしてますます短い波長を生成することができる新たな画像化技術と共に特に有用であり得る。既に使用されている新しい技術には、ＥＵＶ（極端紫外線）、ＡｒＦレーザを使用して１９３ｎｍの波長、さらにフッ素レーザを使用して１５７ｎｍの波長を生成することができるＤＵＶリソグラフィが含まれる。さらに、ＥＵＶリソグラフィは、シンクロトロンを使用することによって、又はこの範囲内の光子を生成するために（固体又はプラズマのいずれかの）材料に衝突することによって、２０〜５ｎｍの範囲内の波長を生成することができる。
【０１７３】
本明細書に開示された概念は、シリコンウェハなどの基板上に結像するために使用され得るが、開示された概念は、任意のタイプのリソグラフィ結像システム、例えばシリコンウェハ以外の基板上に結像するために使用されるものと共に使用され得る。
【０１７４】
本発明の一実施形態は、本明細書に開示される方法を記述する１つ又は複数の一連の機械可読命令を含むコンピュータプログラム、又はそのようなコンピュータプログラムが格納されたデータ記憶媒体（例えば半導体メモリ、磁気又は光ディスク）の形態を取り得る。さらに、機械可読命令は、２つ以上のコンピュータプログラムで具現化してもよい。２つ以上のコンピュータプログラムは、１つ以上の異なるメモリ及び／又はデータ記憶媒体に格納されてもよい。
【０１７５】
本明細書に記載される任意のコントローラは、リソグラフィ投影装置の少なくとも１つの構成要素内に配置された１つ又は複数のコンピュータプロセッサによって１つ又は複数のコンピュータプログラムが読み取られるときにそれぞれ又は組み合わせて動作可能であってもよい。コントローラは、それぞれ又は組み合わせて、信号を受信、処理、及び送信するための任意の適切な構成を有することができる。１つ以上のプロセッサは、少なくとも１つのコントローラと通信するように構成される。例えば、各コントローラは、上述の方法のための機械読み取り可能命令を含むコンピュータプログラムを実行するための１つ又は複数のプロセッサを含み得る。コントローラは、そのようなコンピュータプログラムを記憶するためのデータ記憶媒体、及び／又はそのような媒体を受け取るためのハードウェアを含むことができる。したがって、コントローラは、１つ又は複数のコンピュータプログラムの機械可読命令に従って動作することができる。
【０１７６】
本発明のさらなる実施形態は、以下の番号付きリストに開示されている。
１．パターニングスタックを調整する方法であって、該方法は、
基板上のパターニングスタックに転写されたパターンに関する物理的特性を表すパラメータが、パターニングスタック変数の変化によってどのように影響を受けるかを測定する関数を定義し、パターニングスタック変数は、パターニングスタックの材料層の物理的特性を表し、
ハードウェアコンピュータシステムによって、パターニングスタック変数を変更し、終了条件が満たされるまで、ハードウェアコンピュータシステムによって、変更されたパターニングスタック変数に関する関数を評価し、
終了条件が満たされると、パターニングスタック変数の値を出力する。
２．パターニングスタック変数が、パターニングスタックの層の屈折率、パターニングスタックの層の吸光係数、及び／又はパターニングスタックの層の厚さから選択される１つ又は複数である、上記１に記載の方法。
３．前記パラメータが、計測プロセスの物理的特性、リソグラフィプロセスの物理的特性、及び／又はエッチングプロセスの物理的特性から選択される１つ又は複数を表す、上記１又は２に記載の方法。
４．前記パラメータが、アライメントパラメータ、レベリングパラメータ、計測パラメータ、定在波パラメータ、コントラスト変動パラメータ、側壁角度パラメータ、フロントエンドクリティカルディメンジョンパラメータ、フーティングパラメータ、レジスト損失パラメータ、アシンメトリパラメータ、バックエンドクリティカルディメンジョンパラメータ、パターン配置パラメータ、トップラウンディングパラメータ及び／又はリソグラフィエッチバイアスパラメータから選択される１つ又は複数である、上記１又は２に記載の方法。
５．前記関数は、基板上のパターニングスタックに転写されたパターンに関する物理的特性をそれぞれ表す複数のパラメータがパターニングスタック変数の変化によってどのように影響を受けるかを測定する、上記１〜４のいずれかに記載の方法。
６．前記複数のパラメータは、計測プロセスの物理的特性を含むことを特徴とする上記５に記載の方法。
７．可変パターニングスタック変数に関する関数を評価することが、可変パターニングスタック変数に基づいてパラメータの値を決定するためにコンピュータシミュレーションを実行することを含む、上記１〜６のいずれかに記載の方法。
８．前記パラメータがエッチングプロセスの物理的特性を含み、前記コンピュータシミュレーションがエッチングモデルを使用する、上記７に記載の方法。
９．前記パラメータが計測プロセスの物理的特性を含み、前記コンピュータシミュレーションが計測モデルを使用する、上記７又は８に記載の方法。
１０．パラメータがリソグラフィプロセスの物理的特性を含み、コンピュータシミュレーションがレジストモデルを使用する、上記７〜９のいずれかに記載の方法。
１１．変更されたパターニングスタック変数に関して関数を評価することは、測定又はシミュレーションによって得られたパターンプロファイルに基づいてパラメータの値を決定することを含む、上記１〜１０のいずれかに記載の方法。
１２．前記パターンプロファイルは、レジスト画像又はエッチング像のいずれかである、上記１１に記載の方法。
１３．前記可変パターニングスタック変数に関する前記関数を評価することは、測定又はシミュレーションによって測定プロセスの物理的特性を表すパラメータの値を決定することを含む、上記１〜１２のいずれかに記載の方法。
１４．前記関数は目的関数であり、前記関数を評価することは、
局所極値で、又は局所極値の周辺の予め設定された範囲内のパラメータの値を有するように、パターニングスタック変数の値を取得することを含む、上記１〜１３のいずれかに記載の方法。
１５．ハードウェアコンピュータシステムにより、終了条件が満たされるまで、基板上のパターニングスタックに転写されたパターンに関する物理的特性をそれぞれ表す複数のパラメータに関して、基板上のパターニングスタックの材料層の物理的特性を表すパターニングスタック変数を最適化し、
終了条件が満たされると、パターニングスタック変数の値を出力する、方法。
１６．パターニングスタック変数が、パターニングスタックの層の屈折率、パターニングスタックの層の吸光係数、及び／又はパターニングスタックの層の厚さから選択される１つ又は複数である、上記１５に記載の方法。
１７．少なくとも１つのパラメータが、計測プロセスの物理的特性、リソグラフィプロセスの物理的特性、及び／又はエッチングプロセスの物理的特性から選択される１つ又は複数を表す、上記１５又は１６に記載の方法。
１８．前記パラメータが、アライメントパラメータ、レベリングパラメータ、計測パラメータ、定在波パラメータ、コントラスト変動パラメータ、側壁角度パラメータ、フロントエンドクリティカルディメンジョンパラメータ、フーティングパラメータ、レジスト損失パラメータ、アシンメトリパラメータ、バックエンドクリティカルディメンジョンパラメータ、パターン配置パラメータ、トップラウンディングパラメータ及び／又はリソグラフィエッチバイアスパラメータから選択される１つ又は複数を含む、上記１５又は１７に記載の方法。
１９．前記パラメータは、計測プロセスの物理的特性を表すパラメータを少なくとも含む、上記１５〜１８のいずれかに記載の方法。
２０．前記最適化することは、前記パターニングスタック変数に基づいて前記パラメータの値を決定するためにコンピュータシミュレーションを実行することを含む、上記１５〜１９のいずれかに記載の方法。
２１．前記パラメータのうちの少なくとも１つがエッチングプロセスの物理的特性を表し、前記コンピュータシミュレーションがエッチングモデルを使用する、上記２０に記載の方法。
２２．前記パラメータのうちの少なくとも１つが計測プロセスの物理的特性を表し、前記コンピュータシミュレーションが計測モデルを使用する、上記２０又は２１に記載の方法。
２３．パラメータの少なくとも１つがリソグラフィプロセスの物理的特性を表し、コンピュータシミュレーションがレジストモデルを使用する、上記２０〜２２のいずれかに記載の方法。
２４．前記最適化することは、測定又はシミュレーションによって得られたパターンプロファイルに基づいて前記パラメータのうちの少なくとも１つの値を決定することを含む、上記１５〜２３のいずれかに記載の方法。
２５．前記パターンプロファイルは、レジスト画像又はエッチング画像のいずれかである、上記２４に記載の方法。
２６．最適化することは、測定又はシミュレーションによって測定プロセスの物理的特性を表すパラメータのうちの少なくとも１つの値を決定することを含む、上記１５〜２５のいずれかに記載の方法。
２７．前記最適化することは、局所極値又は局所極値の周りの事前設定範囲内のパラメータの値を有するように、パターニングスタック変数の値を取得するために目的関数を評価することを含む、上記１５〜２６のいずれかに記載の方法。
２８．複数のパターニングスタック変数に対して複数のパラメータを最適化することをさらに含む、上記１５〜２７のいずれかに記載の方法。
２９．前記複数のパターニングスタック変数は、前記パターニングスタックの異なる層ごとにパターニングスタック変数を含む、上記２８に記載の方法。
３０．プロセッサに上記１〜２９のいずれかの方法を実行させるように構成された機械可読命令を含む、非一過性コンピュータプログラム製品。
【０１７７】
本明細書で使用される「最適化」及び「最適化」という用語は、パターニング及び／又はデバイス製造結果及び／又はプロセス（例えばリソグラフィ）が１又は複数の基板上の設計レイアウトの投影のより高い精度、より大きなプロセスウィンドウなどのような１つ又は複数の望ましい特性を有するように、装置及び／又はプロセス、例えばリソグラフィ装置又は光リソグラフィプロセスステップを調整することを意味する。したがって、本明細書で使用される最適化又は最適化プロセスは、例えば１つ以上のパラメータについての１つ以上の値の初期セットと比較した、少なくとも１つの関連する測定基準における局所最適値の改善をもたらす１つ又は複数のパラメータについて１つ又は複数の値を識別するプロセスを指す又は意味する。「最適」及び他の関連用語はそれに応じて解釈されるべきである。一実施形態では、最適化ステップを繰り返し適用して、１つ又は複数の測定基準をさらに改善することができる。
【０１７８】
上記では光リソグラフィの文脈における実施形態の使用について具体的に言及したが、本発明の実施形態は他の用途、例えばインプリントリソグラフィにおいて使用されてもよく、内容が許す場合には光リソグラフィに限られない。インプリントリソグラフィでは、パターニングデバイス内のトポグラフィが基板上に作成されたパターンを画定する。パターニングデバイスのトポグラフィは、基板に供給されたレジスト層に押し込まれ、その後、電磁放射、熱、圧力又はそれらの組み合わせを加えることによってレジストが硬化される。レジストが硬化した後、パターニングデバイスをレジストから移動させてパターンをその中に残す。
【０１７９】
本明細書ではＩＣの製造について具体的に言及することがあるが、本明細書の説明は他の用途を有することができることを理解すべきである。例えば、集積光学システム、磁区メモリ用の誘導及び検出パターン、フラットパネルディスプレイ、液晶ディスプレイ（ＬＣＤ）、薄膜磁気ヘッドなどの製造に使用することができる。当業者であれば、そのような代替用途の内容において、本明細書における「ウェーハ」又は「ダイ」という用語の使用はそれぞれ、より一般的な「基板」又は「ターゲット部分」という用語の同義語と見なすことができる。
【０１８０】
本明細書で言及される基板は、露光前又は露光後に、例えばトラック（通常、レジスト層を基板に塗布し、露光されたレジストを現像するツール）、検査／計測ツール及び／又はエッチングツールで処理することができる。適用可能であれば、本明細書の開示はそのような及び他の基板処理ツールに適用されてもよい。さらに、基板は、例えば多層ＩＣを作成するために２回以上処理されてもよく、したがって本明細書で使用される基板という用語は、既に複数の処理済み層を含む基板も指すことがある。
【０１８１】
本明細書で使用される「放射線」及び「ビーム」という用語は、近赤外線（例えば、約７００ｎｍ〜約１４００ｎｍの範囲の波長を有する放射線）、可視放射線（例えば、約３９０ｎｍ〜７００ｎｍの範囲、例えば約６３３ｎｍ、又は約４９５ｎｍ〜約５７０ｎｍの範囲、例えば約５１５ｎｍ、約５２０ｎｍ、又は約５３２ｎｍの波長を有する放射線）、紫外線（ＵＶ）放射（例えば、約３６５、３５５、２４８、１９３、１５７、又は１２６ｎｍの波長を有する放射線）、及び極端紫外線（ＥＵＶ）放射（例えば、５〜２０ｎｍの範囲の波長を有する放射線）、並びにイオンビーム又は電子ビームのような粒子ビームを含むあらゆる種類の電磁放射線を包含する。
【０１８２】
「レンズ」という用語は、状況に応じて、屈折、反射、磁気、電磁気及び／又は静電気光学部品を含む様々な種類の光学部品のいずれか１つ又はその組合せを指すことができる。
【０１８３】
上記の説明は例示的であり、限定的ではない。したがって、添付の特許請求の範囲の趣旨から逸脱することなく、説明されている本発明に修正を加えることができることが当業者には明らかであろう。例えば、１つ又は複数の実施形態の１つ又は複数の態様は、必要に応じて１つ又は複数の他の実施形態の１つ又は複数の態様と組み合わされてもよく、又は代用されてもよい。したがって、そのような適応及び変更は、本明細書に提示された教示及び指針に基づいて、開示された実施形態の均等物の意味及び範囲内にあることが意図されている。本明細書の用語又は専門用語は、教示及び手引きに照らして当業者によって解釈されるべきであるので、本明細書における用語又は専門用語は、限定ではなく例証のためのものであることを理解すべきである。本発明の広さ及び範囲は、上記の例示的な実施形態のいずれによっても限定されるべきではなく、添付の特許請求の範囲及びそれらの均等物に従ってのみ定義されるべきである。
【図１】
2019533202.tif 000021
【図２】
2019533202.tif 000022
【図３】
2019533202.tif 000023
【図４】
2019533202.tif 000024
【図５】
2019533202.tif 000025
【図６】
2019533202.tif 000026
【図７】
2019533202.tif 000027
【図８】
2019533202.tif 000028
【図９Ａ】
2019533202.tif 000029
【図９Ｂ】
2019533202.tif 000030
【図９Ｃ】
2019533202.tif 000031
【図１０】
2019533202.tif 000032
【図１１】
2019533202.tif 000033
【図１２】
2019533202.tif 000034
【図１３】
2019533202.tif 000035
【図１４】
2019533202.tif 000036
【図１５】
2019533202.tif 000037
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
基板上のパターニングスタックに転写されたパターンに関する物理的特性を表すパラメータが、パターニングスタック変数の変化によってどのように影響されるかを測定する関数を定義し、パターニングスタック変数は、パターニングスタックの材料層の物理的特性を表し、
ハードウェアコンピュータシステムによって、終了条件が満たされるまで、パターニングスタック変数を変更し、ハードウェアコンピュータシステムによって、変更されたパターニングスタック変数に関する関数を評価し、
終了条件が満たされると、パターニングスタック変数の値を出力することを含む、パターニングスタックを調整する方法。
【請求項２】
前記パターニングスタック変数が、前記パターニングスタックの層の屈折率、前記パターニングスタックの層の吸光係数、及び／又は前記パターニングスタックの層の厚さから選択される１つまたは複数である、請求項１に記載の方法。
【請求項３】
前記パラメータが、計測プロセスの物理的特性、リソグラフィプロセスの物理的特性、及び／又はエッチングプロセスの物理的特性から選択される１つまたは複数を表す、請求項１に記載の方法。
【請求項４】
前記パラメータは、アライメントパラメータ、又はレベリングパラメータである、請求項１に記載の方法。
【請求項５】
前記関数は、計測パラメータ、定在波パラメータ、コントラスト変動パラメータ、側壁角度パラメータ、フロントエンドクリティカル寸法パラメータ、フーティングパラメータ、レジスト損失パラメータ、アシンメトリパラメータ、バックエンドクリティカル寸法パラメータ、パターン配置パラメータ、トップラウンディングパラメータ及び／又はリソグラフィエッチバイアスパラメータから選択される１つ又は複数である、請求項１に記載の方法。
【請求項６】
前記基板上の前記パターニングスタックに転写された前記パターンに関する物理的特性をそれぞれ表す複数のパラメータが、前記パターニングスタック変数の変化によってどのように影響を受けるかを測定する、請求項１に記載の方法。
【請求項７】
前記複数のパラメータが計測プロセスの物理的特性を含む、請求項５に記載の方法。
【請求項８】
前記可変パターニングスタック変数に関する前記関数を評価することは、前記可変パターニングスタック変数に基づいて前記パラメータの値を決定するためにコンピュータシミュレーションを実行することを含む、請求項１に記載の方法。
【請求項９】
前記パラメータがエッチングプロセスの物理的特性を含み、前記コンピュータシミュレーションがエッチングモデルを使用する、請求項７に記載の方法。
【請求項１０】
前記パラメータが計測プロセスの物理的特性を含み、前記コンピュータシミュレーションが計測モデルを使用する、請求項７に記載の方法。
【請求項１１】
前記パラメータがリソグラフィプロセスの物理的特性を含み、前記コンピュータシミュレーションがレジストモデルを使用する、請求項７に記載の方法。
【請求項１２】
前記可変パターニングスタック変数に関して前記関数を評価することが、測定またはシミュレーションによって得られたパターンプロファイルに基づいて前記パラメータの値を決定することを含む、請求項１に記載の方法。
【請求項１３】
前記パターンプロファイルは、レジスト画像またはエッチング画像のいずれかである、請求項１２に記載の方法。
【請求項１４】
前記変化するパターニングスタック変数に関して前記関数を評価することは、測定又はシミュレーションによって測定プロセスの物理的特性を表すパラメータの値を決定することを含む、請求項１に記載の方法。
【請求項１５】
請求項１に記載の方法を実行するためのプロセッサで構成された機械可読命令を含む、非一過性コンピュータプログラム製品。
【国際調査報告】
2019533202.tif 000038
2019533202.tif 000039